(57)【要約】  電動車両（１０）は、エネルギを供給する供給部が接続される接続部と、外部に設けられた送電部から非接触で電力を受電する受電部（２０）とを備えた車両であって、車両は、車両の前後方向の中央よりも前方に位置する前領域（Ｒ２）と、車両の中央よりも後方に位置する後領域（Ｒ３）とを含み、受電部（２０）は、前後方向の中央から前領域（Ｒ２）と後領域（Ｒ３）との一方にずれて配置され、接続部は、前領域（Ｒ２）と後領域（Ｒ３）との他方に設けられる。
2013168241.tif 000002
【特許請求の範囲】
【請求項１】
エネルギを供給する供給部が接続される接続部と、
外部に設けられた送電部から非接触で電力を受電する受電部（２０）と、
を備えた車両であって、
前記車両は、前記車両の前後方向の中央よりも前方に位置する前領域（Ｒ２）と、前記車両の中央よりも後方に位置する後領域（Ｒ３）とを含み、
前記受電部（２０）は、前記前後方向の中央から前記前領域（Ｒ２）と前記後領域（Ｒ３）との一方にずれて配置され、前記接続部は、前記前領域（Ｒ２）と前記後領域（Ｒ３）との他方に設けられた、車両。
【請求項２】
前記車両は、前面（７３）と、背面（７４）と、右側面（７２）と、左側面（７１）とを含み、
前記受電部（２０）は、巻回軸（Ｏ１）の周囲を取り囲むように形成されたコイル（２２）を含み、前記コイル（２２）は、前記巻回軸（Ｏ１）が前記前面（７３）と前記背面（７４）とを通るように配置され、
前記接続部は、前記右側面（７２）と前記左側面（７１）との少なくとも一方に設けられた、請求項１に記載の車両。
【請求項３】
前記車両は、前面（７３）と、背面（７４）と、右側面（７２）と、左側面（７１）とを含み、
前記受電部（２０）は、巻回軸（Ｏ１）の周囲を取り囲むように形成されたコイル（２２）を含み、前記コイル（２２）は、前記巻回軸（Ｏ１）が前記右側面（７２）と前記左側面（７１）とを通るように配置され、
前記受電部（２０）は、前記前後方向の中央部よりも前記前領域（Ｒ２）にずれるように配置され、
前記接続部は、前記背面（７４）に設けられた、請求項１に記載の車両。
【請求項４】
前記車両は、前面（７３）と、背面（７４）と、右側面（７２）と、左側面（７１）とを含み、
前記受電部（２０）は、巻回軸（Ｏ１）の周囲を取り囲むように形成されたコイル（２２）を含み、前記コイル（２２）は、前記巻回軸（Ｏ１）が前記前面（７３）と前記背面（７４）とを通るように配置され、
前記受電部（２０）は、前記前後方向の中央部よりも前記後領域（Ｒ３）にずれるように配置され、
前記接続部は、前記前面（７３）に設けられた、請求項１に記載の車両。
【請求項５】
前記車両は、上面（７５）を含み、
前記接続部は、前記上面（７５）に設けられた、請求項１に記載の車両。
【請求項６】
前記車両は、前面（７３）と、背面（７４）と、右側面（７２）と、左側面（７１）とを含み、
前記接続部は、前記前面（７３）と前記背面（７４）と前記右側面（７２）と前記左側面（７１）とのうち、前記受電部（２０）から最も離れた面に設けられた、請求項１に記載の車両。
【請求項７】
前記車両は、バッテリをさらに備え、
前記接続部は、電力を供給する電力供給部が接続される充電部を含み、
前記バッテリは、前記受電部（２０）と前記充電部との間に設けられた、請求項１に記載の車両。
【請求項８】
前記車両は、底面を含み、
前記受電部（２０）は、前記底面側に配置された、請求項１に記載の車両。
【請求項９】
前記送電部の固有周波数と前記受電部（２０）の固有周波数との差は、前記受電部（２０）の固有周波数の１０％以下である、請求項１に記載の車両。
【請求項１０】
前記受電部（２０）と前記送電部との結合係数は、０．１以下である、請求項１に記載の車両。
【請求項１１】
前記受電部（２０）は、前記受電部（２０）と前記送電部の間に形成され、かつ特定の周波数で振動する磁界と、前記受電部（２０）と前記送電部の間に形成され、かつ特定の周波数で振動する電界との少なくとも一方を通じて前記送電部から電力を受電する、請求項１に記載の車両。
【請求項１２】
エネルギを供給する供給部が接続される接続部と、
外部に設けられた送電部から非接触で電力を受電する受電部（２０）と、
を備えた車両であって、
前記車両は、前記車両の幅方向の中央よりも右に位置する右領域と、前記車両の幅方向の中央よりも左に位置する左領域とを含み、
前記受電部（２０）は、前記幅方向の中央から前記右領域と前記左領域の一方にずれて配置され、前記接続部は、前記右領域と前記左領域との他方に設けられた、車両。
【請求項１３】
前記車両は、前面（７３）と、背面（７４）と、右側面（７２）と、左側面（７１）とを含み、
前記受電部（２０）は、巻回軸（Ｏ１）の周囲を取り囲むように形成されたコイル（２２）を含み、前記コイル（２２）は、前記巻回軸（Ｏ１）が前記前面（７３）と前記背面（７４）とを通るように配置され、
前記受電部（２０）は、前記幅方向の中央よりも前記右領域にずれて配置され、前記接続部は、前記左側面（７１）に設けられた、請求項１２に記載の車両。
【請求項１４】
前記車両は、前面（７３）と、背面（７４）と、右側面（７２）と、左側面（７１）とを含み、
前記受電部（２０）は、巻回軸（Ｏ１）の周囲を取り囲むように形成されたコイル（２２）を含み、前記コイル（２２）は、前記巻回軸（Ｏ１）が前記前面（７３）と前記背面（７４）とを通るように配置され、
前記受電部（２０）は、前記幅方向の中央よりも前記左領域にずれて配置され、前記接続部は、前記右側面（７２）に設けられた、請求項１２に記載の車両。
【請求項１５】
前記車両は、前面（７３）と、背面（７４）と、右側面（７２）と、左側面（７１）とを含み、
前記受電部（２０）は、巻回軸（Ｏ１）の周囲を取り囲むように形成されたコイル（２２）を含み、前記コイル（２２）は、前記巻回軸が前記右側面（７２）と前記左側面（７１）とを通るように配置され、
前記接続部は、前記前面（７３）と前記背面（７４）との少なくとも一方に設けられた、請求項１２に記載の車両。
【請求項１６】
前記車両は、上面（７５）を含み、
前記接続部は、前記上面（７５）に設けられた、請求項１２に記載の車両。
【請求項１７】
前記車両は、前面（７３）と、背面（７４）と、右側面（７２）と、左側面（７１）とを含み、
前記接続部は、前記前面（７３）と前記背面（７４）と前記右側面（７２）と前記左側面（７１）とのうち、前記受電部（２０）から最も離れた面に設けられた、請求項１２に記載の車両。
【請求項１８】
前記車両は、バッテリをさらに備え、
前記接続部は、電力を供給する電力供給部が接続される充電部を含み、
前記バッテリは、前記受電部（２０）と前記充電部との間に設けられた、請求項１２に記載の車両。
【請求項１９】
前記車両は、底面を含み、
前記受電部（２０）は、前記底面側に配置された、請求項１２に記載の車両。
【請求項２０】
前記送電部の固有周波数と前記受電部（２０）の固有周波数との差は、前記受電部（２０）の固有周波数の１０％以下である、請求項１２に記載の車両。
【請求項２１】
前記受電部（２０）と前記送電部との結合係数は、０．１以下である、請求項１２に記載の車両。
【請求項２２】
前記受電部（２０）は、前記受電部（２０）と前記送電部の間に形成され、かつ特定の周波数で振動する磁界と、前記受電部（２０）と前記送電部の間に形成され、かつ特定の周波数で振動する電界との少なくとも一方を通じて前記送電部から電力を受電する、請求項１２に記載の車両。
【発明の詳細な説明】
【技術分野】
【０００１】
本発明は、非接触で電力を受電可能な車両に関する。
【背景技術】
【０００２】
近年、環境への配慮からバッテリなどの電力を用いて駆動輪を駆動させるハイブリッド車両や電気自動車などが着目されている。【０００３】
特に近年は、上記のようなバッテリを搭載した電動車両において、プラグなどを用いずに非接触でバッテリを充電可能なワイヤレス充電が着目されている。そして、最近では非接触の充電方式においても各種の充電方式が提案されており、特に、共鳴現象を利用することで非接触で電力を伝送する技術が脚光を浴びている。【０００４】
たとえば、特開２０１０−１７２０８４号公報および特開２０１１−４９２３０号公報に記載された車両は、１次側コアと、１次側コアに巻き回された１次側コイルとを備える。【０００５】
特開２０１１−１９３６７１号公報に記載された車両も、外部に設けられた送電ユニットから電力を受電する受電ユニットを備える。
【先行技術文献】
【特許文献】
【０００６】
【特許文献１】特開２０１０−１７２０８４号公報
【特許文献２】特開２０１１−４９２３０号公報
【特許文献３】特開２０１１−１９３６７１号公報
【発明の概要】
【発明が解決しようとする課題】
【０００７】
車両によっては、充電プラグや給油プラグなどが接続される接続部と、非接触で電力を受電する受電部とを備える。しかし、上記の特許文献においては、接続部と受電部との配置位置について何ら考慮されていない。【０００８】
このため、たとえば、受電部を用いて、非接触で電力を受電している際に、接続部を用いて給油作業や充電作業を行うと、受電部と接続部との配置位置によっては、作業者が所有する電子機器が受電部の周囲に形成される電磁界の影響を受けるおそれがある。【０００９】
本発明は、上記のような課題に鑑みてなされたものであって、その目的は、受電部と接続部との配置位置を工夫することで、接続部を用いて作業を行う作業者が携帯する電子機器に与える影響を低減することができる車両を提供することである。
【課題を解決するための手段】
【００１０】
本発明に係る車両は、エネルギを供給する供給部が接続される接続部と、外部に設けられた送電部から非接触で電力を受電する受電部とを備える。上記車両は、車両の前後方向の中央よりも前方に位置する前領域と、車両の中央よりも後方に位置する後領域とを含む。上記受電部は、前後方向の中央から前領域と後領域との一方にずれて配置される。【００１１】
好ましくは、上記車両は、前面と、背面と、右側面と、左側面とを含む。上記受電部は、巻回軸の周囲を取り囲むように形成されたコイルを含み、コイルは、巻回軸が前面と背面とを通るように配置される。上記接続部は、右側面と左側面との少なくとも一方に設けられる。【００１２】
好ましくは、上記車両は、前面と、背面と、右側面と、左側面とを含む。上記受電部は、巻回軸の周囲を取り囲むように形成されたコイルを含み、コイルは、巻回軸が右側面と左側面とを通るように配置される。上記受電部は、前後方向の中央部よりも前領域にずれるように配置される。上記接続部は、背面に設けられる。【００１３】
好ましくは、上記車両は、前面と、背面と、右側面と、左側面とを含む。上記受電部は、巻回軸の周囲を取り囲むように形成されたコイルを含み、コイルは、巻回軸が前面と背面とを通るように配置される。上記受電部は、前後方向の中央部よりも後領域にずれるように配置される。上記接続部は、前面に設けられる。好ましくは、上記車両は、上面を含む。上記接続部は、上面に設けられる。【００１４】
好ましくは、上記車両は、前面と、背面と、右側面と、左側面とを含む。上記接続部は、前面と背面と右側面と左側面とのうち、受電部から最も離れた面に設けられる。【００１５】
好ましくは、上記車両は、バッテリをさらに備える。上記接続部は、電力を供給する電力供給部が接続される充電部を含む。上記バッテリは、受電部と充電部との間に設けられる。好ましくは、上記車両は、底面を含む。上記受電部は、底面側に配置される。【００１６】
好ましくは、上記送電部の固有周波数と受電部の固有周波数との差は、受電部の固有周波数の１０％以下である。好ましくは、上記受電部と送電部との結合係数は、０．１以下である。【００１７】
好ましくは、上記受電部は、受電部と送電部の間に形成され、かつ特定の周波数で振動する磁界と、受電部と送電部の間に形成され、かつ特定の周波数で振動する電界との少なくとも一方を通じて送電部から電力を受電する。【００１８】
本発明に係る車両は、他の局面では、エネルギを供給する供給部が接続される接続部と、外部に設けられた送電部から非接触で電力を受電する受電部とを備える。上記車両は、車両の幅方向の中央よりも右に位置する右領域と、車両の幅方向の中央よりも左に位置する左領域とを含む。上記受電部は、幅方向の中央から右領域と左領域の一方にずれて配置され、接続部は、右領域と左領域との他方に設けられる。【００１９】
好ましくは、上記車両は、前面と、背面と、右側面と、左側面とを含む。上記受電部は、巻回軸の周囲を取り囲むように形成されたコイルを含み、コイルは、巻回軸が前面と背面とを通るように配置される。上記受電部は、幅方向の中央よりも右領域にずれて配置され、接続部は、左側面に設けられる。【００２０】
好ましくは、上記車両は、前面と、背面と、右側面と、左側面とを含む。上記受電部は、巻回軸の周囲を取り囲むように形成されたコイルを含み、コイルは、巻回軸が前面と背面とを通るように配置される。上記受電部は、幅方向の中央よりも左領域にずれて配置され、接続部は、右側面に設けられる。【００２１】
好ましくは、上記車両は、前面と、背面と、右側面と、左側面とを含む。上記受電部は、巻回軸の周囲を取り囲むように形成されたコイルを含み、コイルは、巻回軸が右側面と左側面とを通るように配置される。上記接続部は、前面と背面との少なくとも一方に設けられる。好ましくは、上記車両は、上面を含む。上記接続部は、上面に設けられる。【００２２】
好ましくは、上記車両は、前面と、背面と、右側面と、左側面とを含む。上記接続部は、前面と背面と右側面と左側面とのうち、受電部から最も離れた面に設けられる。【００２３】
好ましくは、上記車両は、バッテリをさらに備える。上記接続部は、電力を供給する電力供給部が接続される充電部を含む。上記バッテリは、受電部と充電部との間に設けられる。好ましくは、上記車両は、底面を含む。上記受電部は、底面側に配置される。【００２４】
好ましくは、上記送電部の固有周波数と受電部の固有周波数との差は、受電部の固有周波数の１０％以下である。好ましくは、上記受電部と送電部との結合係数は、０．１以下である。【００２５】
好ましくは、上記受電部は、受電部と送電部の間に形成され、かつ特定の周波数で振動する磁界と、受電部と送電部の間に形成され、かつ特定の周波数で振動する電界との少なくとも一方を通じて送電部から電力を受電する。
【発明の効果】
【００２６】
本発明に係る車両によれば、受電部を用いて受電しているときにおいて、接続部を用いて、作業を行う作業者が携帯する電子機器に与えるを低減することができる。
【図面の簡単な説明】
【００２７】
【図１】本実施の形態に係る受電装置と、送電装置と、電力伝送システムとを模式的に示す模式図である。
【図２】電動車両１０の左側の側面を示す側面図である。
【図３】電動車両１０の右側の側面を示す側面図である。
【図４】電動車両１０の正面図である。
【図５】電動車両１０の背面図である。
【図６】電動車両１０の平面図である。
【図７】電動車両１０の底面図である。
【図８】受電装置１１を示す断面図である。
【図９】受電装置１１の分解斜視図である。
【図１０】固定部材２７およびフェライトコア２１を示す分解斜視図である。
【図１１】２次コイル２２を示す斜視図である。
【図１２】２次コイル２２を平面視した平面図である。
【図１３】受電部２０と送電部５６とを対向配置させた状態を示す斜視図である。
【図１４】電動車両１０を電動車両１０の鉛直方向上方から見たときに、受電部２０（２次コイル２２）と、給油部７７と、充電部７８とを配置を模式的に示す平面図である。
【図１５】電力伝送システムのシミュレーションモデルを示す模式図である。
【図１６】送電部９３および受電部９６の固有周波数のズレと、電力伝送効率との関係を示すグラフである。
【図１７】固有周波数ｆ０を固定した状態で、エアギャップＡＧを変化させたときの電力伝送効率と、１次コイル５８に供給される電流の周波数ｆ３との関係を示すグラフである。
【図１８】巻回軸Ｏ１の延びる方向における磁界の分布を示すグラフである。
【図１９】巻回軸Ｏ１に垂直な方向における磁界の分布を示すグラフである。
【図２０】巻回軸Ｏ１の延びる方向における電界の分布を示すグラフである。
【図２１】巻回軸Ｏ１に垂直な方向における電界の分布を示すグラフである。
【図２２】本実施の形態１に係る電動車両１０の変形例を模式的に示す平面図である。
【図２３】実施の形態２に係る電動車両１０の左側面図である。
【図２４】電動車両１０の上面７５を示す平面図である。
【図２５】受電部２０と、給油部７７と充電部７８とを模式的に示す平面図である。
【図２６】実施の形態３に係る電動車両１０の左側面図である。
【図２７】受電部２０と、給油部７７と、充電部７８との配置位置を模式的に示す平面図である。
【図２８】本実施の形態３に係る電動車両１０の第１変形例を模式的に示す平面図である。
【図２９】本実施の形態４に係る電動車両１０の上面７５を示す平面図である。
【図３０】受電部２０と給油部７７と充電部７８との配置を模式的に示す平面図である。
【図３１】本実施の形態５に係る電動車両１０の左側面図である。
【図３２】電動車両１０の右側面図である。
【図３３】受電部２０と給油部７７と充電部７８との配置位置を模式的に示す平面図である。
【図３４】本実施の形態６に係る電動車両１０の上面７５を示す平面図である。
【図３５】電動車両１０を模式的に示す平面図である。
【図３６】本実施の形態６に係る電動車両１０の変形例を模式的に示す平面図である。
【図３７】本実施の形態７に係る電動車両１０の左側面図である。
【図３８】電動車両１０の背面図である。
【図３９】電動車両１０を模式的に示す平面図である。
【図４０】実施の形態８に係る電動車両１０の左側面図である。
【図４１】電動車両１０の右側面図である。
【図４２】受電部２０と給油部７７と充電部７８との配置位置を模式的に示す平面図である。
【図４３】本実施の形態９に係る電動車両１０を示す平面図である。
【図４４】電動車両１０の左側面図である。
【図４５】受電部２０と給油部７７と、充電部７８との搭載位置を模式的に示す平面図である。
【図４６】実施の形態９に係る電動車両１０の変形例を模式的に示す平面図である。
【図４７】本実施の形態１０に係る電動車両１０の左側面図である。
【図４８】受電部２０と、給油部７７と、充電部７８との配置位置を模式的に示す平面図である。
【図４９】本実施の形態１０の第１変形例を模式的に示す平面図である。
【図５０】実施の形態１０に係る電動車両１０の第２変形例を模式的に示す平面図である。
【図５１】実施の形態１０に係る電動車両１０の第３変形例を模式的に示す平面図である。
【図５２】実施の形態１１に係る電動車両１０の正面図である。
【図５３】給油部７７と充電部７８と受電部２０との配置位置を模式的に示す平面図である。
【図５４】本実施の形態１１に係る電動車両１０の第１変形例を示す平面図である。
【図５５】給油部７７と充電部７８と、受電部２０との配置位置を模式的に示す平面図である。
【図５６】本実施の形態１２に係る電動車両１０の左側面図である。
【図５７】電動車両１０の右側面図である。
【図５８】給油部７７と充電部７８と受電部２０との搭載位置を模式的に示す平面図である。
【図５９】本実施の形態１２の第１変形例を模式的に示す平面図である。
【図６０】本実施の形態１２に係る電動車両１０の第２変形例を模式的に示す平面図である。
【図６１】本実施の形態１３に係る電動車両１０を示す右側面図である。
【図６２】給油部７７と、充電部７８と、受電部２０との搭載位置を模式的に示す平面図である。
【図６３】実施の形態１３に係る電動車両１０の変形例を示す平面図である。
【図６４】電動車両１０における給油部７７と充電部７８と受電部２０との配置位置を模式的に示す平面図である。
【図６５】実施の形態１４に係る電動車両１０の正面図である。
【図６６】電動車両１０の右側面図である。
【図６７】受電部２０と、給油部７７と充電部７８との配置位置を模式的に示す平面図である。
【図６８】本実施の形態１４に係る電動車両１０の変形例を示す平面図である。
【図６９】受電部２０と給油部７７と充電部７８との配置位置を模式的に示す平面図である。
【図７０】本実施の形態１５に係る電動車両１０を示す左側面図である。
【図７１】電動車両１０の右側面図である。
【図７２】受電部２０と給油部７７と充電部７８との配置位置を模式的に示す平面図である。
【図７３】本実施の形態１５に係る電動車両１０の変形例を模式的に示す平面図である。
【図７４】本実施の形態１６に係る電動車両１０の左側面図である。
【図７５】給油部７７と充電部７８と受電部２０との配置位置を模式的に示す平面図である。
【図７６】本実施の形態１６に係る電動車両１０の第１変形例を模式的に示す平面図である。
【図７７】実施の形態１７に係る電動車両１０の正面図である。
【図７８】受電部２０と給油部７７と充電部７８との搭載位置を模式的に示す平面図である。
【図７９】本実施の形態１７の第１変形例を模式的に示す平面図である。
【図８０】本実施の形態１７の第２変形例を模式的に示す平面図である。
【図８１】実施の形態１７の第３変形例を模式的に示す平面図である。
【図８２】本実施の形態１８に係る電動車両１０の正面図である。
【図８３】電動車両１０の左側面図である。
【図８４】受電部２０と、給油部７７と、充電部７８との搭載位置を模式的に示す平面図である。
【図８５】本実施の形態１８に係る電動車両１０の変形例を模式的に示す平面図である。
【図８６】本実施の形態１９に係る電動車両１０の左側面図である。
【図８７】電動車両１０を模式的に示す平面図である。
【図８８】電動車両１０の平面図である。
【図８９】電動車両１０を模式的に示す平面図である。
【図９０】本実施の形態２０に係る電動車両１０の左側面図である。
【図９１】電動車両１０の右側面図である。
【図９２】受電部２０と給油部７７と充電部７８との搭載位置を模式的に示す平面図である。
【図９３】本実施の形態２０に係る電動車両１０の第１変形例を模式的に示す平面図である。
【図９４】本実施の形態２１に係る電動車両１０の左側面図である。
【図９５】電動車両１０の右側面図である。
【図９６】受電部２０と給油部７７と充電部７８との搭載位置を模式的に示す平面図である。
【図９７】本実施の形態２１の第１変形例を模式的に示す平面図である。
【図９８】電動車両１０の正面図である。
【図９９】本実施の形態２２に係る電動車両１０の右側面図である。
【図１００】受電部２０と給油部７７と充電部７８との搭載位置を模式的に示す平面図である。
【図１０１】本実施の形態２２の変形例を模式的に示す平面図である。
【図１０２】本実施の形態２３に係る電動車両１０を示す平面図である。
【図１０３】図１０２に示す電動車両１０の受電部２０と充電部７８との搭載位置を模式的に示す平面図である。
【図１０４】本実施の形態２４に係る電動車両１０を模式的に示す平面図である。
【図１０５】本実施の形態２５に係る電動車両１０を模式的に示す平面図である。
【図１０６】受電部２０を示す平面図である。
【図１０７】図１０６に示すＣＶＩＩ−ＣＶＩＩ線における断面図である。
【図１０８】受電部２０および送電部５６を示す斜視図である。
【図１０９】本実施の形態２６に係る電動車両１０を模式的に示す平面図である。
【図１１０】受電部２０を模式的に示す平面図である。
【図１１１】受電部２０と送電部５６と模式的に示す斜視図である。
【図１１２】受電部２０と送電部５６とを示す斜視図である。
【図１１３】受電部２０の変形例を示す平面図である。
【図１１４】図１１３に示す受電部２０と、この受電部２０と同種の送電部５６との間で電力伝送しているときの様子を示す斜視図である。
【図１１５】図１１３に示す受電部２０と、当該受電部２０と異なるタイプ送電部５６との間で電力伝送しているときの様子を示す斜視図である。
【図１１６】本実施の形態２７に係る電動車両１０を模式的に示す平面図である。
【図１１７】受電部２０と送電部５６とを示す斜視図である。
【図１１８】図１１７に示す受電部２０と、この受電部２０と同じタイプの受電部２０との間で電力伝送しているときの様子を示す斜視図である。
【図１１９】受電部２０と、送電部５６との間で電力伝送するときの様子を示す斜視図である。
【図１２０】電動車両１０を模式的に示す平面図である。
【図１２１】本実施の形態に係る電動車両１０に搭載された受電部２０と、この受電部２０に電力を送電する送電部５６とを示す斜視図である。
【図１２２】本実施の形態２９に係る電動車両１０を模式的に示す平面図である。
【図１２３】受電部２０および送電部５６模式的に示す斜視図である。
【図１２４】本実施の形態３０に係る電動車両１０を模式的に示す平面図である。
【図１２５】受電部２０および送電部５６を模式的に示す斜視図である。
【図１２６】本実施の形態３１に係る電動車両１０を模式的に示す平面図である。
【図１２７】受電部２０および送電部５６を示す斜視図である。
【発明を実施するための形態】
【００２８】
図１から図１２７を用いて、本発明に係る電動車両について説明する。
（実施の形態１）
図１は、本実施の形態に係る受電装置と、送電装置と、電力伝送システムとを模式的に示す模式図である。
【００２９】
本実施の形態１に係る電力伝送システムは、受電装置１１を含む電動車両１０と、送電装置５０を含む外部給電装置５１とを有する。電動車両１０の受電装置１１は、送電装置５０が設けられた駐車スペース５２の所定位置に停車して、主に、送電装置５０から電力を受電する。
【００３０】
駐車スペース５２には、電動車両１０を所定の位置に停車させるように、輪止や駐車位置および駐車範囲を示すラインが設けられている。
【００３１】
外部給電装置５１は、交流電源５３に接続された高周波電力ドライバ５４と、高周波電力ドライバ５４などの駆動を制御する制御部５５と、この高周波電力ドライバ５４に接続された送電装置５０とを含む。送電装置５０は、送電部５６を含み、送電部５６は、フェライトコア５７と、フェライトコア５７に巻きつけられた１次コイル（共鳴コイル）５８と、この１次コイル５８に接続されたキャパシタ５９とを含む。なお、キャパシタ５９は、必須の構成ではない。１次コイル５８は、高周波電力ドライバ５４に接続されている。
【００３２】
送電部５６は、１次コイル５８のインダクタンスと、１次コイル５８の浮遊容量およびキャパシタ５９のキャパシタンスとから形成された電気回路を含む。
【００３３】
図１において、電動車両１０は、受電装置１１と、受電装置１１に接続された整流器１３と、この整流器１３に接続されたＤＣ／ＤＣコンバータ１４と、このＤＣ／ＤＣコンバータ１４に接続されたバッテリ１５と、パワーコントロールユニット（ＰＣＵ（Power  Control  Unit））１６と、このパワーコントロールユニット１６に接続されたモータユニット１７と、ＤＣ／ＤＣコンバータ１４やパワーコントロールユニット１６などの駆動を制御する車両ＥＣＵ（Electronic  Control  Unit）１８とを備える。なお、本実施の形態に係る電動車両１０は、図示しないエンジンを備えたハイブリッド車両であるが、モータにより駆動される車両であれば、燃料電池車両も含む。
【００３４】
整流器１３は、受電装置１１に接続されており、受電装置１１から供給される交流電流を直流電流に変換して、ＤＣ／ＤＣコンバータ１４に供給する。
【００３５】
ＤＣ／ＤＣコンバータ１４は、整流器１３から供給された直流電流の電圧を調整して、バッテリ１５に供給する。なお、ＤＣ／ＤＣコンバータ１４は必須の構成ではなく省略してもよい。この場合には、外部給電装置５１にインピーダンスを整合するための整合器を送電装置５０と高周波電力ドライバ５４との間に設けることで、ＤＣ／ＤＣコンバータ１４の代用をすることができる。
【００３６】
パワーコントロールユニット１６は、バッテリ１５に接続されたコンバータと、このコンバータに接続されたインバータとを含み、コンバータは、バッテリ１５から供給される直流電流を調整（昇圧）して、インバータに供給する。インバータは、コンバータから供給される直流電流を交流電流に変換して、モータユニット１７に供給する。
【００３７】
モータユニット１７は、たとえば、三相交流モータなどが採用されており、パワーコントロールユニット１６のインバータから供給される交流電流によって駆動する。
【００３８】
なお、電動車両１０は、エンジンまたは燃料電池をさらに備える。モータユニット１７は、発電機として主に機能するモータジェネレータと、電動機として主に機能するモータジェネレータとを含む。
【００３９】
受電装置１１は、受電部２０を含む。受電部２０は、フェライトコア２１と、このフェライトコア２１の外周面に巻きつけられた２次コイル２２と、２次コイル２２に接続されたキャパシタ２３とを含む。なお、受電部２０においても、キャパシタ２３は、必須の構成ではない。２次コイル２２は、整流器１３に接続されている。２次コイル２２は浮遊容量を有する。このため、受電部２０は、２次コイル２２のインダクタンスと、２次コイル２２およびキャパシタ２３のキャパシタンスとによって形成された電気回路を有する。なお、キャパシタ２３は、必須の構成ではなく、省略することができる。
【００４０】
図２は、電動車両１０の左側の側面を示す側面図である。図３は、電動車両１０の右側の側面を示す側面図である。図４は、電動車両１０の正面図である。図５は、電動車両１０の背面図である。図６は、電動車両１０の平面図である。図７は、電動車両１０の底面図である。
【００４１】
図２において、電動車両１０は、車両本体７０と、車両本体７０に設けられた車輪とを含む。車両本体７０内には、モータユニット１７やエンジンなどが収容される駆動室８０と、駆動室８０より電動車両１０の進行方向後方側に配置された乗員収容室８１と、この乗員収容室８１よりも進行方向後方側に配置された荷物室６８とが形成されている。
【００４２】
電動車両１０の左側面７１には、乗員収容室８１に連通する乗降用開口部８２Ｌが形成されている。車両本体７０は、乗降用開口部８２Ｌを開閉するドア８３Ｌと、乗降用開口部８２Ｌよりも進行方向前方側に配置されたフロントフェンダ８４Ｌと、フロントフェンダ８４よりも進行方向前方側に配置されたフロントバンパ８６とを含む。
【００４３】
車両本体７０は、乗降用開口部８２Ｌよりも進行方向後方側に配置されたリヤフェンダ８５Ｌと、リヤフェンダ８５Ｌよりも進行方向後方側に配置されたリヤバンパ８７とを含む。
【００４４】
図３において、電動車両１０の右側面７２には、乗員収容室８１に連通する乗降用開口部８２Ｒが形成されている。車両本体７０は、乗降用開口部８２Ｒを開閉するドア８３Ｒと、乗降用開口部８２Ｒよりも進行方向前方側に配置されたフロントフェンダ８４Ｒと、乗降用開口部８２Ｒよりも進行方向後方側に配置されたリヤフェンダ８５Ｒとを含む。図６において、車両本体７０は、駆動室８０を開閉するエンジンルーフ８８と、乗員収容室８１の上面を規定するルーフ６６と、荷物室６８に形成された開口部を開閉するハッチ６７とを含む。ハッチ６７は、上面部６７ａと、背面部６７ｂとを含む。
【００４５】
電動車両１０の左側面７１とは、図２に示すように、電動車両１０から電動車両１０の幅方向であって、電動車両１０の左側に離れた位置から電動車両１０を見たときに見える面である。
【００４６】
このため、電動車両１０の左側面７１とは、主に、フロントバンパ８６の側部と、フロントフェンダ８４Ｌと、ドア８３Ｌと、リヤフェンダ８５Ｌと、リヤバンパ８７の側部とによって規定される。
【００４７】
図３において、電動車両１０の右側面７２とは、図３に示すように、電動車両１０の幅方向であって、電動車両１０の右側に離れた位置から電動車両１０を見たときに見える面である。このため、電動車両１０の右側面７２は、主に、フロントバンパ８６の側部と、フロントフェンダ８４Ｒと、ドア８３Ｒと、リヤフェンダ８５Ｒと、リヤバンパ８７の側部とによって規定される。
【００４８】
図４において、電動車両１０の正面７３とは、電動車両１０に対して進行方向前方側に離れた位置から電動車両１０をみたときに見える面である。
【００４９】
このため、電動車両１０の正面７３とは、主に、フロントバンパ８６の正面部と、エンジンルーフ８８およびフロントバンパ８６の間に設けられた部材とによって規定されている。
【００５０】
図５において、電動車両１０の背面７４とは、電動車両１０に対して進行方向後方側に離れた位置から電動車両１０を見たときに見える面である。
【００５１】
このため、電動車両１０の背面７４は、主に、リヤバンパ８７の背面部と、ハッチ６７の背面部６７ｂとによって規定されている。
【００５２】
図６において、電動車両１０の上面７５とは、電動車両１０の車輪（タイヤ）が地面と接地された状態において、地面に対して鉛直方向の上方に離れた位置から電動車両１０を見たときに、見える面である。
【００５３】
このため、電動車両１０の上面７５とは、主に、エンジンルーフ８８と、ルーフ６６と、ハッチ６７の上面部６７ａとによって規定されている。
【００５４】
図７において、電動車両１０の底面７６とは、電動車両１０の車輪（タイヤ）が地面と接地された状態において、地面に対して鉛直方向の下方に離れた位置から電動車両１０を見たときに、見える面である。
【００５５】
ここで、図２および図４に示すように、電動車両１０は、左側面７１に設けられた給油部（第２接続部）７７と、正面７３に設けられた充電部（第１接続部）７８と、給油部７７に配管などによって接続された燃料タンク７９とを含む。なお、本明細書において、接続部とは、給油部７７と充電部７８との少なくとも一方を意味する。
【００５６】
本実施の形態においては、給油部７７は、フロントフェンダ８４Ｌに設けられ、充電部７８は、フロントフェンダ８４Ｒに設けられている。充電部７８は、バッテリ１５に接続されており、充電部７８とバッテリ１５との間には、配線と、充電部７８から供給される交流電流を直流電流に変換する変換器とが設けられている。
【００５７】
給油部７７には、給油装置に設けられた給油プラグが接続される。給油プラグ（燃料供給部）は、ガソリン、液体水素などの燃料を給油部７７に供給し、給油部７７に供給された燃料は、燃料タンク７９に供給される。すなわち、給油部７７から供給されるエネルギは、電力と異なるエネルギであって、ガソリンや水素元素を含む水素化合物などの燃料である。
【００５８】
充電部７８には、充電装置に設けられた充電プラグが接続される。充電プラグ（電力供給部）は、充電部７８に電力を供給する。充電部７８に供給された交流電流は、直流電流に変換されて、バッテリ１５に蓄積される。
【００５９】
図８は、受電装置１１を示す断面図であり、図９は、受電装置１１の分解斜視図である。この図８および図９に示すように、受電装置１１は、受電部２０と、受電部２０を収容する筐体２４とを含む。
【００６０】
筐体２４は、下方に向けて開口するように形成されたシールド２５と、シールド２５の開口部を閉塞するように設けられた蓋部２６とを含む。
【００６１】
シールド２５は、天板部２５ａと、天板部２５ａの周縁部から下方に向けて垂れ下がるように形成された周壁部２５ｂとを含む。周壁部２５ｂは、複数の壁部２５ｃ〜２５ｆを含み、これら複数の壁部２５ｃ〜２５ｆが互いに接続されて、環状の周壁部２５ｂが形成されている。壁部２５ｃおよび壁部２５ｅは、２次コイル２２の巻回軸Ｏ１の延びる方向に配列し、壁部２５ｄおよび壁部２５ｆは、２次コイル２２の巻回軸Ｏ１に垂直な方向に配列している。なお、シールド２５の形状としては、このような形状に限られず、多角刑形状、円形液状、長円形形状など各種形状を採用することができる。
【００６２】
周壁部２５ｂの下端部によって開口部が形成されており、蓋部２６はこの開口部を閉塞する。
【００６３】
受電部２０は、板状に形成されたフェライトコア２１と、このフェライトコア２１を上下面から挟み込む固定部材２７と、この固定部材２７に巻回された２次コイル２２と、この２次コイル２２に接続されたキャパシタ２３とを含む。
【００６４】
フェライトコア２１は、２次コイル２２内から巻回軸Ｏ１の延びる方向に突出する突出部２９ａおよび突出部２９ｂを含む。突出部２９ａは、２次コイル２２の一方の端部側から突出しており、突出部２９ｂは、２次コイル２２の他方の端部側から突出する。このように、フェライトコア２１は、巻回軸Ｏ１の延びる方向において２次コイル２２の長さよりも長くなるように形成されている。
【００６５】
図１０は、固定部材２７およびフェライトコア２１を示す分解斜視図である。この図１０に示すように、固定部材２７は、フェライトコア２１の上面側に配置された絶縁片３０と、フェライトコア２１の下面側に配置された絶縁片３１とを含む。
【００６６】
絶縁片３０および絶縁片３１は、図９などに示すボルト２８によって互いに固定されており、フェライトコア２１は、絶縁片３０および絶縁片３１によって挟みこまれている。絶縁片３０および絶縁片３１がフェライトコア２１を挟み込むことで、フェライトコア２１を保護している。
【００６７】
このように形成された受電装置１１は、図７に示すように、電動車両１０の底面７６側に設けられている。受電装置１１の固定方法は、各種の方法を採用することができる。たとえば、電動車両１０は、車両の幅方向に配列するサイドメンバ４７と、サイドメンバ４７同士を接続するように設けられた複数のクロスメンバとを含み、受電装置１１をサイドメンバ４７やクロスメンバから懸架するようにしてもよい。
【００６８】
「受電装置１１を底面７６側に配置する」とは、電動車両１０の下方から電動車両１０を見たときに、必ずしも受電装置１１が目視できる位置に設けられている必要はない。このため、たとえば、受電装置１１は、フロアパネル４９よりも下方側に配置されている。
【００６９】
図１１は、２次コイル２２を示す斜視図である。この図１１に示すように、２次コイル２２は、第１端部３５および第２端部３６を含み、２次コイル２２は、第１端部３５から第２端部３６に向かうにつれて、巻回軸Ｏ１の周囲を取り囲むと共に、巻回軸Ｏ１の延びる方向に変位するように形成されている。２次コイル２２は、複数回、コイル線を巻回して形成されている。なお、第１端部３５および第２端部３６が、巻回軸Ｏ１の延びる方向において２次コイル２２の両端に位置している。
【００７０】
この図１１に示す例においては、フェライトコア２１は、略直方体形状に形成されており、フェライトコア２１は、上面３７と、上面３７と厚さ方向に対向する底面３８と、短手方向に配列する側面３９および側面４０と、長手方向に配列する端面４１および端面４２とを含む。なお、フェライトコア２１は、複数の分割されたフェライトピースから形成してもよい。
【００７１】
２次コイル２２は、上面３７に配置された長辺部４３と、この長辺部４３の端部から下方に向けて延び、側面３９に配置された短辺部４４と、短辺部４４に接続され、底面３８に配置された長辺部４５と、この長辺部４５の端部に接続され、側面４０に配置された短辺部４６とを含む。
【００７２】
そして、１つの長辺部４３と、１つの短辺部４４と、１つの長辺部４５と、１つの短辺部４６とによって、コイル線がフェライトコア２１の周面に一巻きされる。
【００７３】
２次コイル２２は、複数巻きされており、２次コイル２２は、複数の長辺部４３と、複数の短辺部４４と、複数の長辺部４５と、複数の短辺部４６とを含む。
【００７４】
図１２は、２次コイル２２を平面視した平面図である。この図１２に示すように、複数の短辺部４６が巻回軸Ｏ１の延びる方向に配列しており、同様に、複数の短辺部４４が巻回軸Ｏ１の延びる方向に配列している。
【００７５】
短辺部４４と、短辺部４６とは、同一の仮想水平面上に配置されており、短辺部４４と、短辺部４６とは、巻回軸Ｏ１を挟んで互いに対向すると共に、短辺部４４と短辺部４６とは水平方向に配列している。
【００７６】
本実施の形態においては、２次コイル２２は、正面から見ると、四角形状となるように形成されているが、コイルの形状としては、楕円形状、長円形状、多角形形状などの各種形状を採用することができる。
【００７７】
図１３は、受電部２０と送電部５６とを対向配置させた状態を示す斜視図である。なお、図１３において、受電装置１１に設けられた蓋部２６は図示されていない。
【００７８】
この図１３に示すように、電力伝送時には、受電部２０と、送電部５６とは互いにエアギャップをあけて対向するように配置される。
【００７９】
送電部５６は、内部に１次コイル５８などを収容する筐体６０と、筐体６０内に収容された固定部材６１と、固定部材６１内に収容されたフェライトコア５７と、固定部材６１の外周面に装着された１次コイル５８と、筐体６０内に収容されたキャパシタ５９とを含む。
【００８０】
筐体６０は、銅などの金属材料によって形成されたシールド６２と、シールド６２に設けられた樹脂性の蓋部材６３とを含む。
【００８１】
シールド６２は、底面部と、この底面部の外周縁部から上方に向けて立ち上げるように環状に形成された周壁部とを含み、周壁部の環状に延びる上端部によって上方に向けて開口する開口部が形成されている。蓋部材６３は、シールド６２の周壁部の上端部によって形成された開口部を閉塞するように形成されている。
【００８２】
フェライトコア５７は、１次コイル５８の巻回軸の延びる方向に突出する突出部６４ａと、突出部６４ｂとを含む。突出部６４ａは、１次コイル５８の一方の端部側から突出するように形成されており、突出部６４ｂは、１次コイル５８の他方の端部側から突出する。
【００８３】
固定部材６１は、フェライトコア５７の上面側に配置された絶縁片と、フェライトコア５７の下面側に配置された絶縁片とを含む。フェライトコア５７は、この２つの絶縁片によって挟み込まれており、この２つの絶縁片がボルトおよびナットなどのような締結部材によって互いに固定されることで、フェライトコア５７が２つの絶縁片によって挟み込まれている。１次コイル５８は、固定部材６１の外周面に巻きつけられている。
【００８４】
図１４は、電動車両１０を電動車両１０の鉛直方向上方から見たときに、受電部２０（２次コイル２２）と、給油部７７と、充電部７８とを配置を模式的に示す平面図である。
【００８５】
この図１４に示すように、電動車両１０は、左側面７１と、右側面７２と、正面７３と、背面７４とを含む。
【００８６】
この図１４に示す例において、中心線Ｏ２は、電動車両１０の前後方向の中央を示す。中心線Ｏ２は、電動車両１０の幅方向Ｄ２に延びると共に、前後方向の中央を通る。前領域Ｒ２は、中心線Ｏ２よりも電動車両１０の前方に位置する領域を示す。後領域Ｒ３は、中心線Ｏ２よりも電動車両１０の後方に位置する領域を示す。
【００８７】
受電部２０は、中心線Ｏ２よりも後領域Ｒ３にずれた位置に設けられている。なお、この図１４に示す例においては、中心線Ｏ２から間隔をあけて配置されているが、受電部２０が中心線Ｏ２と重なっていてもよい。この場合、受電部２０（２次コイル２２）が前領域Ｒ２内に位置する体積よりも、受電部２０（２次コイル２２）が後領域Ｒ３内に位置する体積の方が大きい。受電部２０は、電動車両１０の周面のうち、背面７４に最も近接するように配置されている。
【００８８】
２次コイル２２は、巻回軸Ｏ１が水平方向に向くように配置されており、巻回軸Ｏ１は、右側面７２および左側面７１を通るように延びている。「巻回軸Ｏ１が水平方向に向く」とは、完全に水平方向に巻回軸Ｏ１が延びている場合と、実質的に水平方向に向いている場合とのいずれも含む。なお、巻回軸Ｏ１が実質的に水平方向に向いているとは、たとえば、仮想水平面と巻回軸Ｏ１との交差角度が、１０度以下である場合を意味する。本実施の形態１においては、巻回軸Ｏ１が右側面７２および左側面７１を通るように、２次コイル２２が配置されている。
【００８９】
充電部７８は、前領域Ｒ２に設けられており、充電部７８は正面７３に設けられている。給油部７７は、後領域Ｒ３に設けられており、給油部７７は、左側面７１に設けられている。
【００９０】
図１において、本実施の形態に係る電力伝送システムにおいては、送電部５６の固有周波数と、受電部２０の固有周波数との差は、受電部２０または送電部５６の固有周波数の１０％以下である。このような範囲に各送電部５６および受電部２０の固有周波数を設定することで、電力伝送効率を高めることができる。その一方で、固有周波数の差が受電部２０または送電部５６の固有周波数の１０％よりも大きくなると、電力伝送効率が１０％より小さくなり、バッテリ１５の充電時間が長くなるなどの弊害が生じる。
【００９１】
ここで、送電部５６の固有周波数とは、キャパシタ５９が設けられていない場合には、１次コイル５８のインダクタンスと、１次コイル５８のキャパシタンスとから形成された電気回路が自由振動する場合の振動周波数を意味する。キャパシタ５９が設けられた場合には、送電部５６の固有周波数とは、１次コイル５８およびキャパシタ５９のキャパシタンスと、１次コイル５８のインダクタンスとによって形成された電気回路が自由振動する場合の振動周波数を意味する。上記電気回路において、制動力および電気抵抗をゼロもしくは実質的にゼロとしたときの固有周波数は、送電部５６の共振周波数とも呼ばれる。
【００９２】
同様に、受電部２０の固有周波数とは、キャパシタ２３が設けられていない場合には、２次コイル２２のインダクタンスと、２次コイル２２のキャパシタンスとから形成された電気回路が自由振動する場合の振動周波数を意味する。キャパシタ２３が設けられた場合には、受電部２０の固有周波数とは、２次コイル２２およびキャパシタ２３のキャパシタンスと、２次コイル２２のインダクタンスとによって形成された電気回路が自由振動する場合の振動周波数を意味する。上記電気回路において、制動力および電気抵抗をゼロもしくは実質的にゼロとしたときの固有周波数は、受電部２０の共振周波数とも呼ばれる。
【００９３】
図１５および図１６を用いて、固有周波数の差と電力伝送効率との関係とを解析したシミュレーション結果について説明する。図１５は、電力伝送システムのシミュレーションモデルを示す。電力伝送システムは、送電装置９０と、受電装置９１とを備え、送電装置９０は、コイル９２（電磁誘導コイル）と、送電部９３とを含む。送電部９３は、コイル９４（共鳴コイル）と、コイル９４に設けられたキャパシタ９５とを含む。
【００９４】
受電装置９１は、受電部９６と、コイル９７（電磁誘導コイル）とを備える。受電部９６は、コイル９９とこのコイル９９（共鳴コイル）に接続されたキャパシタ９８とを含む。
【００９５】
コイル９４のインダクタンスをインダクタンスＬｔとし、キャパシタ９５のキャパシタンスをキャパシタンスＣ１とする。コイル９９のインダクタンスをインダクタンスＬｒとし、キャパシタ９８のキャパシタンスをキャパシタンスＣ２とする。このように各パラメータを設定すると、送電部９３の固有周波数ｆ１は、下記の式（１）によって示され、受電部９６の固有周波数ｆ２は、下記の式（２）によって示される。
【００９６】
ｆ１＝１／{２π（Ｌｔ×Ｃ１）1/2}・・・（１）
ｆ２＝１／{２π（Ｌｒ×Ｃ２）1/2}・・・（２）
ここで、インダクタンスＬｒおよびキャパシタンスＣ１，Ｃ２を固定して、インダクタンスＬｔのみを変化させた場合において、送電部９３および受電部９６の固有周波数のズレと、電力伝送効率との関係を図１６に示す。なお、このシミュレーションにおいては、コイル９４およびコイル９９の相対的な位置関係は固定した状態であって、さらに、送電部９３に供給される電流の周波数は一定である。
【００９７】
図１６に示すグラフのうち、横軸は、固有周波数のズレ（％）を示し、縦軸は、一定周波数での伝送効率（％）を示す。固有周波数のズレ（％）は、下記式（３）によって示される。
【００９８】
（固有周波数のズレ）＝{（ｆ１−ｆ２）／ｆ２}×１００（％）・・・（３）
図１６からも明らかなように、固有周波数のズレ（％）が±０％の場合には、電力伝送効率は、１００％近くとなる。固有周波数のズレ（％）が±５％の場合には、電力伝送効率は、４０％となる。固有周波数のズレ（％）が±１０％の場合には、電力伝送効率は、１０％となる。固有周波数のズレ（％）が±１５％の場合には、電力伝送効率は、５％となる。すなわち、固有周波数のズレ（％）の絶対値（固有周波数の差）が、受電部９６の固有周波数の１０％以下の範囲となるように各送電部および受電部の固有周波数を設定することで電力伝送効率を高めることができることがわかる。さらに、固有周波数のズレ（％）の絶対値が受電部９６の固有周波数の５％以下となるように、各送電部および受電部の固有周波数を設定することで電力伝送効率をより高めることができることがわかる。なお、シミュレーションソフトとしては、電磁界解析ソフトウェア（JMAG（登録商標）：株式会社ＪＳＯＬ製）を採用している。
【００９９】
次に、本実施の形態に係る電力伝送システムの動作について説明する。
図１において、１次コイル５８には、高周波電力ドライバ５４から交流電力が供給される。この際、１次コイル５８を流れる交流電流の周波数が特定の周波数となるように電力が供給されている。
【０１００】
１次コイル５８に特定の周波数の電流が流れると、１次コイル５８の周囲には特定の周波数で振動する電磁界が形成される。
【０１０１】
２次コイル２２は、１次コイル５８から所定範囲内に配置されており、２次コイル２２は１次コイル５８の周囲に形成された電磁界から電力を受け取る。
【０１０２】
本実施の形態においては、２次コイル２２および１次コイル５８は、所謂、ヘリカルコイルが採用されている。このため、１次コイル５８の周囲には、特定の周波数で振動する磁界および電界が形成され、２次コイル２２は主に当該磁界から電力を受け取る。
【０１０３】
ここで、１次コイル５８の周囲に形成される特定の周波数の磁界について説明する。「特定の周波数の磁界」は、典型的には、電力伝送効率と１次コイル５８に供給される電流の周波数と関連性を有する。そこで、まず、電力伝送効率と、１次コイル５８に供給される電流の周波数との関係について説明する。１次コイル５８から２次コイル２２に電力を伝送するときの電力伝送効率は、１次コイル５８および２次コイル２２の間の距離などの様々な要因よって変化する。たとえば、送電部５６および受電部２０の固有周波数（共振周波数）を固有周波数ｆ０とし、１次コイル５８に供給される電流の周波数を周波数ｆ３とし、２次コイル２２および１次コイル５８の間のエアギャップをエアギャップＡＧとする。
【０１０４】
図１７は、固有周波数ｆ０を固定した状態で、エアギャップＡＧを変化させたときの電力伝送効率と、１次コイル５８に供給される電流の周波数ｆ３との関係を示すグラフである。
【０１０５】
図１７に示すグラフにおいて、横軸は、１次コイル５８に供給する電流の周波数ｆ３を示し、縦軸は、電力伝送効率（％）を示す。効率曲線Ｌ１は、エアギャップＡＧが小さいときの電力伝送効率と、１次コイル５８に供給する電流の周波数ｆ３との関係を模式的に示す。この効率曲線Ｌ１に示すように、エアギャップＡＧが小さい場合には、電力伝送効率のピークは周波数ｆ４，ｆ５（ｆ４＜ｆ５）において生じる。エアギャップＡＧを大きくすると、電力伝送効率が高くなるときの２つのピークは、互いに近づくように変化する。そして、効率曲線Ｌ２に示すように、エアギャップＡＧを所定距離よりも大きくすると、電力伝送効率のピークは１つとなり、１次コイル５８に供給する電流の周波数が周波数ｆ６のときに電力伝送効率がピークとなる。エアギャップＡＧを効率曲線Ｌ２の状態よりもさらに大きくすると、効率曲線Ｌ３に示すように電力伝送効率のピークが小さくなる。
【０１０６】
たとえば、電力伝送効率の向上を図るため手法として次のような第１の手法が考えられる。第１の手法としては、図１に示す１次コイル５８に供給する電流の周波数を一定として、エアギャップＡＧにあわせて、キャパシタ５９やキャパシタ２３のキャパシタンスを変化させることで、送電部５６と受電部２０との間での電力伝送効率の特性を変化させる手法が挙げられる。具体的には、１次コイル５８に供給される電流の周波数を一定とした状態で、電力伝送効率がピークとなるように、キャパシタ５９およびキャパシタ２３のキャパシタンスを調整する。この手法では、エアギャップＡＧの大きさに関係なく、１次コイル５８および２次コイル２２に流れる電流の周波数は一定である。なお、電力伝送効率の特性を変化させる手法としては、送電装置５０と高周波電力ドライバ５４との間に設けられた整合器を利用する手法や、コンバータ１４を利用する手法などを採用することもできる。
【０１０７】
また、第２の手法としては、エアギャップＡＧの大きさに基づいて、１次コイル５８に供給する電流の周波数を調整する手法である。たとえば、図１７において、電力伝送特性が効率曲線Ｌ１となる場合には、１次コイル５８には周波数が周波数ｆ４または周波数ｆ５の電流を１次コイル５８に供給する。そして、周波数特性が効率曲線Ｌ２，Ｌ３となる場合には、周波数が周波数ｆ６の電流を１次コイル５８に供給する。この場合では、エアギャップＡＧの大きさに合わせて１次コイル５８および２次コイル２２に流れる電流の周波数を変化させることになる。
【０１０８】
第１の手法では、１次コイル５８を流れる電流の周波数は、固定された一定の周波数となり、第２の手法では、１次コイル５８を流れる周波数は、エアギャップＡＧによって適宜変化する周波数となる。第１の手法や第２の手法などによって、電力伝送効率が高くなるように設定された特定の周波数の電流が１次コイル５８に供給される。１次コイル５８に特定の周波数の電流が流れることで、１次コイル５８の周囲には、特定の周波数で振動する磁界（電磁界）が形成される。受電部２０は、受電部２０と送電部５６の間に形成され、かつ特定の周波数で振動する磁界を通じて送電部５６から電力を受電している。したがって、「特定の周波数で振動する磁界」とは、必ずしも固定された周波数の磁界とは限らない。なお、上記の例では、エアギャップＡＧに着目して、１次コイル５８に供給する電流の周波数を設定するようにしているが、電力伝送効率は、１次コイル５８および２次コイル２２の水平方向のずれ等のように他の要因によっても変化するものであり、当該他の要因に基づいて、１次コイル５８に供給する電流の周波数を調整する場合がある。
【０１０９】
なお共鳴コイルとしてヘリカルコイルを採用した例について説明したが、共鳴コイルとして、メアンダラインなどのアンテナなどを採用した場合には、１次コイル５８に特定の周波数の電流が流れることで、特定の周波数の電界が１次コイル５８の周囲に形成される。そして、この電界をとおして、送電部５６と受電部２０との間で電力伝送が行われる。
【０１１０】
本実施の形態に係る電力伝送システムにおいては、電磁界の「静電磁界」が支配的な近接場（エバネッセント場）を利用することで、送電および受電効率の向上が図られている。図１８は、電流源または磁流源からの距離と電磁界の強度との関係を示した図である。図１８を参照して、電磁界は３つの成分から成る。曲線ｋ１は、波源からの距離に反比例した成分であり、「輻射電磁界」と称される。曲線ｋ２は、波源からの距離の２乗に反比例した成分であり、「誘導電磁界」と称される。また、曲線ｋ３は、波源からの距離の３乗に反比例した成分であり、「静電磁界」と称される。なお、電磁界の波長を「λ」とすると、「輻射電磁界」と「誘導電磁界」と「静電磁界」との強さが略等しくなる距離は、λ／2πとあらわすことができる。
【０１１１】
「静電磁界」は、波源からの距離とともに急激に電磁波の強度が減少する領域であり、本実施の形態に係る電力伝送システムでは、この「静電磁界」が支配的な近接場（エバネッセント場）を利用してエネルギー（電力）の伝送が行なわれる。すなわち、「静電磁界」が支配的な近接場において、近接する固有周波数を有する送電部５６および受電部２０（たとえば一対のＬＣ共振コイル）を共鳴させることにより、送電部５６から他方の受電部２０へエネルギー（電力）を伝送する。この「静電磁界」は遠方にエネルギーを伝播しないので、遠方までエネルギーを伝播する「輻射電磁界」によってエネルギー（電力）を伝送する電磁波に比べて、共鳴法は、より少ないエネルギー損失で送電することができる。
【０１１２】
ここのように、この電力伝送システムにおいては、送電部と受電部とを電磁界によって共振（共鳴）させることで送電部と受電部との間で非接触で電力が送電される。このような受電部と送電部との間に形成される電磁場は、たとえば、近接場共振（共鳴）結合場という場合がある。そして、送電部と受電部との間の結合係数κは、たとえば、０．３以下程度であり、好ましくは、０．１以下である。当然のことながら、結合係数κを０．１〜０．３程度の範囲も採用することができる。結合係数κは、このような値に限定されるものでなく、電力伝送が良好となる種々の値をとり得る。
【０１１３】
本実施の形態の電力伝送における送電部５６と受電部２０との結合を、たとえば、「磁気共鳴結合」、「磁界（磁場）共鳴結合」、「磁場共振（共鳴）結合」、「近接場共振（共鳴）結合」、「電磁界（電磁場）共振結合」または「電界（電場）共振結合」という。
【０１１４】
「電磁界（電磁場）共振結合」は、「磁気共鳴結合」、「磁界（磁場）共鳴結合」、「電界（電場）共振結合」のいずれも含む結合を意味する。
【０１１５】
本明細書中で説明した送電部５６の１次コイル５８と受電部２０の２次コイル２２とは、コイル形状のアンテナが採用されているため、送電部５６と受電部２０とは主に、磁界によって結合しており、送電部５６と受電部２０とは、「磁気共鳴結合」または「磁界（磁場）共鳴結合」している。
【０１１６】
なお、１次コイル５８，２２として、たとえば、メアンダラインなどのアンテナを採用することも可能であり、この場合には、送電部５６と受電部２０とは主に、電界によって結合している。このときには、送電部５６と受電部２０とは、「電界（電場）共振結合」している。
【０１１７】
図１３において、受電部２０と、送電部５６との間で電力伝送する際には、１次コイル５８に所定の周波数の交流電流が供給される。
【０１１８】
１次コイル５８に所定の交流電流が供給されることで、１次コイル５８の周囲に所定の周波数で振動する電磁界が形成される。そして、２次コイル２２が当該電磁界から電力を受電する。また、受電部２０と送電部５６との間に磁路６５が形成される。
【０１１９】
磁路６５は、突出部２９ａと、２次コイル２２内と、突出部２９ｂと、エアギャップと、突出部６４ｂと、１次コイル５８内と、突出部６４ａと、エアギャップと、突出部２９ａとを通るように形成される。
【０１２０】
図１８および図１９は、２次コイル２２の周囲に形成される磁界の強度分布を示すグラフである。図１８は、巻回軸Ｏ１の延びる方向における磁界の分布を示すグラフである。図１８に示すグラフの横軸は、図９に示す壁部２５ｃまたは壁部２５ｅから巻回軸Ｏ１の延びる方向の距離（ｃｍ）を示す。グラフの縦軸は、磁界強度を示す。
【０１２１】
図１９は、巻回軸Ｏ１に垂直な方向における磁界の分布を示すグラフである。この図１８に示すように、グラフの横軸は、図１３に示す壁部２５ｄまたは壁部２５ｆから巻回軸Ｏ１に垂直な方向の距離（ｃｍ）を示す。グラフの縦軸は、磁界の強度を示す。
【０１２２】
この図１８および図１９に示すように、巻回軸Ｏ１の延びる方向に長くなるように強度が高い磁界が分布することがわかる。
【０１２３】
図２０および図２１は、２次コイル２２の周囲に形成される電界の分布を示すグラフである。図２０は、巻回軸Ｏ１の延びる方向における電界の分布を示すグラフである。グラフの横軸は、図１３に示す壁部２５ｃまたは壁部２５ｅから巻回軸Ｏ１の延びる方向の距離（ｃｍ）を示し、縦軸は、電界の強度を示す。
【０１２４】
図２１は、巻回軸Ｏ１に垂直な方向における電界の分布を示すグラフである。横軸は、図１３に示す壁部２５ｄまたは壁部２５ｆから巻回軸Ｏ１に垂直な方向における距離（ｃｍ）を示す。
【０１２５】
図２０および図２１に示すように、電界は、巻回軸Ｏ１に垂直な方向に長くなるように分布することが分かる。その一方で、図２０および図２１から明らかなように、電界の強度自体は弱いことが分かる。
ここで、図１４において、２次コイル２２は、巻回軸Ｏ１が幅方向Ｄ２に延びるように、配置されている。これにより、突出部２９ａと、突出部２９ｂとは、２次コイル２２を挟み、幅方向Ｄ２に配列している。
【０１２６】
図１４において、二点差線で囲まれた領域Ｒ１は、電力伝送時に、２次コイル２２の周囲に形成される電磁界のうち、強度の高い領域を示す。
【０１２７】
そして、磁路が巻回軸Ｏ１の延びる方向に配列する突出部２９ａおよび突出部２９ｂを通るように形成される。この図１４に示されるように、強度の高い電磁界は、巻回軸Ｏ１の延びる方向に長くなると共に、巻回軸Ｏ１の延びる方向に垂直な方向に短くなるように分布する。
【０１２８】
特に、巻回軸Ｏ１は、左側面７１および右側面７２を通るため、領域Ｒ１は、進行方向Ｄ１よりも幅方向Ｄ２に広く分布する。
【０１２９】
ここで、受電部２０は、後領域Ｒ３に設けられている一方で、充電部７８は、前領域Ｒ２に設けられている。このため、受電部２０を用いて受電しているときに、受電部２０の周囲に形成される強度の高い電磁界が充電部７８に達することを抑制することができる。
【０１３０】
特に、充電部７８は、電動車両１０の周面のうち、最も受電部２０から離れた正面７３に設けられているため、充電部７８に強度の高い電磁界が達することを抑制することができる。
【０１３１】
これにより、受電部２０で電力を受電している際に、充電部７８を用いて充電するときに、作業者が所持する電子機器が受電部２０の周囲に生じる電磁界から受ける影響を低減することができる。
【０１３２】
また、充電部７８には、充電コネクタが接続されたか否かをセンシングするセンサなどが設けられており、当該センサが電磁界の影響を受けることを抑制することができる。
【０１３３】
なお、この図１４に示す例においては、給油部７７は後領域Ｒ３に位置する左側面７１に設けられているが、前領域Ｒ２に設けるようにしてもよい。
【０１３４】
図２２は、本実施の形態１に係る電動車両１０の変形例を模式的に示す平面図である。この図２２に示す例においては、給油部７７は、左側面７１のうち、前領域Ｒ２内に位置する部分に設けられている。
【０１３５】
このように、給油部７７を前領域Ｒ２内に設けることで、受電部２０で電力を受電している場合においても、給油部７７を用いて作業者が給油作業を行ったとしても、作業者が携帯する電子機器が電磁界から受ける影響を低減することができる。
【０１３６】
なお、給油部７７は、左側面７１に限られず、前領域Ｒ２内に位置する右側面７２、正面７３および上面７５のいずれかに設けるようにしてもよい。
【０１３７】
このように、本実施の形態１に係る電動車両１０においては、受電部２０が後領域Ｒ３に設けられており、給油部７７と充電部７８の少なくとも一方が前領域Ｒ２に設けられている。なお、受電部２０の２次コイル２２が受電した電力を電磁誘導コイルで取り出してもよく、本実施の形態のように、キャパシタと整流器とを接続するようにしてもよい。なお、送電部５６においても、同様に、電源５３からの電力を電磁誘導コイルを用いて１次コイル５８に供給してもよく、また、配線で高周波電力ドライバ５４と、１次コイル５８とを接続するようにしてもよい。
【０１３８】
（実施の形態２）
図２３および図２５を用いて、本実施の形態に係る電動車両１０について説明する。なお、図２３から図２５に示す構成のうち、上記図１から図２４に示す構成と同一または相当する構成については、同一の符号を付してその説明を省略する場合がある。
【０１３９】
図２３は、実施の形態２に係る電動車両１０の左側面図であり、図２４は、電動車両１０の上面７５を示す平面図である。図２５は、受電部２０と、給油部７７と充電部７８とを模式的に示す平面図である。
【０１４０】
受電部２０は、電動車両１０の底面７６側に設けられている。２次コイル２２は、巻回軸Ｏ１が左側面７１および右側面７２を通るように配置されている。
【０１４１】
図２３に示すように、給油部７７は、左側面７１のリヤフェンダ８５Ｌに設けられている。図２４に示すように、充電部７８は、上面７５のエンジンルーフ８８に設けられている。受電部２０が底面７６側に設けられているため、受電部２０の周囲に形成される電磁界が電動車両１０の上面７５に達することが抑制されている。このため、充電部７８に強度の高い電磁界が達することが抑制されている。
【０１４２】
図２４および図２５に示すように、正面７３は、電動車両１０の周面のうち、受電部２０から最も離れている。そして、充電部７８は、上面７５のうち、正面７３の近傍に設けられている。具体的には、充電部７８は、電動車両１０の周面のうち正面７３に最も近接する位置に設けられている。このため、充電部７８に強度の高い電磁界が達することを抑制することができる。
【０１４３】
図２５に示すように、本実施の形態２に係る電動車両１０においては、底面７６側にバッテリ１５が配置されている。バッテリ１５は、前領域Ｒ２と後領域Ｒ３とに跨って配置されている。バッテリ１５と、充電部７８と、受電部２０とを電動車両１０の上方からみると、バッテリ１５は、充電部７８と、受電部２０との間に配置されている。このため、受電部２０の周囲に形成される電磁界が充電部７８に達することが抑制されている。さらに、充電部７８と、受電部２０との間にバッテリ１５を配置することで、充電部７８とバッテリ１５との間の距離を短くすることができ、充電部７８とバッテリ１５とを接続する配線の長さを短くすることができる。
【０１４４】
（実施の形態３）
図２６および図２７を用いて、本実施の形態３に係る電動車両１０について説明する。なお、図２６および図２７に示す構成のうち、上記図１から図２５に示す構成と同一または相当する構成については、同一の符号を付してその説明を省略する場合がある。
【０１４５】
図２６は、実施の形態３に係る電動車両１０の左側面図である。図２７は、受電部２０と、給油部７７と、充電部７８との配置位置を模式的に示す平面図である。
【０１４６】
図２６に示すように、充電部７８は、フロントフェンダ８４Ｌに設けられ、給油部７７は、リヤフェンダ８５Ｌに設けられている。
【０１４７】
図２７に示すように、受電部２０は、後領域Ｒ３に設けられている。２次コイル２２は、巻回軸Ｏ１が左側面７１と右側面７２とを通るように配置されている。
【０１４８】
ここで、受電部２０が後領域Ｒ３に設けられると共に、充電部７８は、前領域Ｒ２に設けられている。このため、充電部７８に強度の高い電磁界が達することを抑制することができる。また、巻回軸Ｏ１が左側面７１と右側面７２とを通るように２次コイル２２が配置されているため、充電部７８に強度の高い電磁界が達することが抑制されている。
【０１４９】
正面７３は、電動車両１０の周面のうち最も受電部２０から離れており、充電部７８は、中心線Ｏ２よりも正面７３に近い位置に設けられている。このため、充電部７８に強度の高い電磁界が達することを抑制することができる。
【０１５０】
図２８は、本実施の形態３に係る電動車両１０の第１変形例を模式的に示す平面図である。この図２８に示す例においては、給油部７７と充電部７８とは、いずれも前領域Ｒ２に設けられており、受電部２０は、後領域Ｒ３に設けられている。
【０１５１】
具体的には、給油部７７は、フロントフェンダ８４Ｒに設けられている。このように、給油部７７も前領域Ｒ２に設けることで、給油作業者が所持する電子機器に強度の高い電磁界が達することを抑制することができる。
【０１５２】
特に、充電部７８および給油部７７は、中心線Ｏ２よりも正面７３に近い位置に設けられているため、給油部７７および充電部７８に強度の高い電磁界が達することを抑制することができる。これにより、充電作業者および給油作業者が所持する電子機器に強度の高い電磁界が達することを抑制することができる。
【０１５３】
図２８に示すように、本実施の形態３に係る電動車両１０においては、バッテリ１５は、電動車両１０の底面７６に設けられている。バッテリ１５は、進行方向Ｄ１に延びる本体部１５ａと、本体部１５ａの後端部に設けられ、幅方向Ｄ２に張り出す張出部１５ｂとを含む。
【０１５４】
そして、バッテリ１５は、受電部２０と、給油部７７との間に位置しており、給油部７７に強度の高い電磁界が達することが抑制されている。
【０１５５】
また、バッテリ１５は、受電部２０と充電部７８との間に位置しており、充電部７８に強度の高い電磁界が達することが抑制されている。
【０１５６】
特に、バッテリ１５は、張出部１５ｂを含み、受電部２０の周囲に形成される電磁界が給油部７７および充電部７８に達することが抑制されている。
【０１５７】
（実施の形態４）
図２９および図３０を用いて、本実施の形態４に係る電動車両１０について説明する。この図２９および図３０に示す構成のうち、上記図１から図２８に示す構成と同一または相当する構成については、同一の符号を付してその説明を省略する。
【０１５８】
図２９は、本実施の形態４に係る電動車両１０の上面７５を示す平面図である。図３０は、受電部２０と給油部７７と充電部７８との配置を模式的に示す平面図である。図３０に示すように、受電部２０は、後領域Ｒ３に設けられており、充電部７８は、前領域Ｒ２に設けられている。このため、受電部２０に強度の高い電磁界が達することが抑制されている。充電部７８は、上面７５に設けられており、受電部２０は、底面７６側に設けられている。このため、受電部２０の周囲に形成された電磁界が充電部７８に達することが抑制されている。
【０１５９】
図２９および図３０に示すように、充電部７８は、エンジンルーフ８８に設けられている。なお、図２９および図３０に示す例においては、充電部７８は、左側面７１と右側面７２と正面７３とのうち、左側面７１に最も近接するように設けられている。充電部７８は中心線Ｏ２よりも正面７３に近い位置に設けられている。正面７３は、電動車両１０の周面のうち、最も受電部２０から離れている。このため、受電部２０の周囲に形成される電磁界が充電部７８に達することが抑制されている。
【０１６０】
なお、本実施の形態４においても、巻回軸Ｏ１が左側面７１と右側面７２とを通るように２次コイル２２が配置されているため、充電部７８に強度の高い電磁界が達することが抑制されている。
【０１６１】
（実施の形態５）
図３１から図３３を用いて、本実施の形態５に係る電動車両１０について説明する。なお、図３１から図３３に示す構成のうち、上記図１から図３０に示す構成と同一または相当する構成については、同一の符号を付してその説明を省略する。
【０１６２】
図３１は、本実施の形態５に係る電動車両１０の左側面図である。図３２は、電動車両１０の右側面図である。図３３は、受電部２０と給油部７７と充電部７８との配置位置を模式的に示す平面図である。
【０１６３】
図３１に示すように、給油部７７は、リヤフェンダ８５Ｌに設けられており、図３２に示すように、充電部７８は、フロントフェンダ８４Ｒに設けられている。図３３に示すように、受電部２０は、後領域Ｒ３に設けられている。２次コイル２２は、巻回軸Ｏ１が右側面７２および左側面７１を通るように配置されており、充電部７８は２次コイル２２に対して
進行方向Ｄ１前方側に配置されている。このため、強度の高い電磁界が充電部７８に達することが抑制されている。
【０１６４】
本実施の形態５においても、充電部７８は前領域Ｒ２に設けられると共に、受電部２０は、後領域Ｒ３に設けられているため、充電部７８に強度の高い電磁界が達することが抑制されている。
【０１６５】
正面７３は、電動車両１０の周面のうち、最も受電部２０から離れており、充電部７８は、中心線Ｏ２よりも正面７３に近い位置に設けられている。このため、充電部７８に強度の高い電磁界が達することを抑制することができる。
【０１６６】
（実施の形態６）
図３４から図３６を用いて、本実施の形態６に係る電動車両１０について説明する。なお、図３４から図３６に示す構成のうち、上記図１から図３３に示す構成と同一または相当する構成については、同一の符号を付してその説明を省略する場合がある。
【０１６７】
図３４は、本実施の形態６に係る電動車両１０の上面７５を示す平面図である。この図３４に示すように、充電部７８は、上面７５のエンジンルーフ８８に設けられている。その一方で、受電部２０は、電動車両１０の底面７６側に設けられている。このため、受電部２０の周囲に形成された電磁界が受電部２０に達することを抑制することができる。
【０１６８】
なお、充電部７８は、エンジンルーフ８８に設けられると共に、電動車両１０の周面のうち、右側面７２に最も近接した位置に設けられている。
【０１６９】
また、充電部７８は、中心線Ｏ２よりも正面７３に近い位置に設けられ、正面７３は、電動車両１０の周面のうち、最も受電部２０から離れた位置に設けられている。このため、充電部７８に受電部２０の周囲に形成された電磁界が達することを抑制することができる。さらに、２次コイル２２は、巻回軸Ｏ１が左側面７１および右側面７２を通るように配置されている。その一方で、充電部７８は、２次コイル２２に対して進行方向Ｄ１前方側に位置している。このため、強度の高い電磁界が充電部７８に達することが抑制されている。
【０１７０】
図３６は、本実施の形態６に係る電動車両１０の変形例を模式的に示す平面図である。この図３６に示すように、給油部７７を前領域Ｒ２に設けるようにしてもよい。この図３６に示す例においては、給油部７７は、巻回軸Ｏ１よりも正面７３に近い位置に設けられている。このため、給油部７７に強度の高い電磁界が達することを抑制することができる。このため、給油作業者が所持する電子機器が受電部２０の周囲に形成される電磁界から受ける影響を低減することができる。なお、給油部７７を正面７３に設けるようにしてもよい。
【０１７１】
なお、巻回軸Ｏ１が左側面７１と右側面７２とを通るように２次コイル２２が設けられているため、給油部７７に強度の高い電磁界が達することが抑制されている。
【０１７２】
（実施の形態７）
図３７から図３９を用いて、本実施の形態７に係る電動車両１０について説明する。なお、図３７から図３９に示す構成のうち、上記図１から図３６に示す構成と同一または相当する構成については、同一の符号を付してその説明を省略する場合がある。
【０１７３】
図３７は、本実施の形態７に係る電動車両１０の左側面図である。図３７に示すように、給油部７７は、左側面７１のリヤフェンダ８５Ｌに設けられている。受電装置１１（受電部２０）は、底面７６のうち、駆動室８０の下方に位置する部分に設けられている。
【０１７４】
図３８は、電動車両１０の背面図である。この図３８に示すように、充電部７８は背面７４のリヤバンパ８７に設けられている。
【０１７５】
図３９において、受電部２０は、中心線Ｏ２から前領域Ｒ２にずれた位置に設けられている。なお、この図３９に示す例においては、受電部２０は中心線Ｏ２から離れて設けられているが、受電部２０と中心線Ｏ２とが重なっていてもよい。この場合、受電部２０（２次コイル２２）のうち、前領域Ｒ２内に位置する体積は、後領域Ｒ３内に位置する体積よりも大きい。すなわち、受電部２０は、中心線Ｏ２から前領域Ｒ２にずれるように配置されている。
【０１７６】
給油部７７および充電部７８は、後領域Ｒ３に設けられている。このため、給油部７７および充電部７８に強度の高い電磁界が達することが抑制されている。
【０１７７】
背面７４は、電動車両１０の周面のうち、受電部２０から最も離れている。充電部７８は、この背面７４に設けられているため、受電部２０の周囲に形成される電磁界が充電部７８に達することが抑制される。
【０１７８】
このため、充電部７８に設けられた電子機器や、充電作業者が携帯する電子機器が電磁界から受ける影響を低減することができる。
【０１７９】
また、給油部７７は、中心線Ｏ２よりも背面７４に近い位置に設けられているため、給油作業者が携帯する電子機器が電磁界から受ける影響を低減することができる。
【０１８０】
なお、給油部７７を右側面７２に設けるようにしてもよく、さらに、背面７４に設けるようにしてもよい。
【０１８１】
なお、給油部７７および充電部７８のいずれもが後領域Ｒ３に設けられている必要はない。すなわち、受電部２０が前領域Ｒ２および後領域Ｒ３の一方に設けられ、給油部７７と充電部７８の少なくとも一方が前領域Ｒ２および後領域Ｒ３の他方に設けられておればよい。
【０１８２】
このように受電部２０と、給油部７７と、充電部７８とを配置することで、給油部７７および充電部７８の少なくとも一方に強度の高い電磁界が達することを抑制することができる。
【０１８３】
なお、本実施の形態７において、巻回軸Ｏ１が左側面７１と右側面７２とを通るように２次コイル２２が配置され、給油部７７および充電部７８が受電部２０に対して進行方向Ｄ１後方側に位置しているため、強度の高い電磁界が充電部７８に達することが抑制されている。
【０１８４】
（実施の形態８）
図４０から図４３を用いて、本実施の形態８に係る電動車両１０について説明する。なお、図４０から図４２に示す構成のうち、上記図１から図３９に示す構成と同一または相当する構成については、同一の符号を付してその説明を省略する場合がある。
【０１８５】
図４０は、実施の形態８に係る電動車両１０の左側面図である。図４１は、電動車両１０の右側面図である。図４２は、受電部２０と給油部７７と充電部７８との配置位置を模式的に示す平面図である。
【０１８６】
図４０に示すように、受電部２０（受電装置１１）は、底面７６のうち、駆動室８０の下方に位置する部分に設けられている。給油部７７は、左側面７１のリヤフェンダ８５Ｌに設けられている。図４１に示すように、充電部７８は、右側面７２のリヤフェンダ８５Ｒに設けられている。
【０１８７】
図４２において、受電部２０は、前領域Ｒ２に設けられており、充電部７８および給油部７７は、後領域Ｒ３に設けられている。このため、受電部２０の周囲に形成される電磁界が給油部７７および充電部７８に達することを抑制することができる。
【０１８８】
２次コイル２２は、巻回軸Ｏ１が左側面７１と右側面７２とを通るように配置されている。このため、領域Ｒ１は、電動車両１０の幅方向Ｄ２に広く延びるように分布する。その一方で、給油部７７および充電部７８は、受電部２０に対して電動車両１０の後方側に位置しているため、強度の高い電磁界が給油部７７および充電部７８に達することを抑制することができる。
【０１８９】
背面７４は、電動車両１０の周面のうち、最も受電部２０から離れた面である。給油部７７および充電部７８は、巻回軸Ｏ１より、背面７４に近い位置に設けられている。このため、充電部７８および給油部７７に強度の高い電磁界が達することを抑制することができる。
【０１９０】
（実施の形態９）
図４３から図４５を用いて、実施の形態９に係る電動車両１０について説明する。なお、図４３から図４５に示す構成のうち、図１から図４２に示す構成と同一または相当する構成については、同一の符号を付してその説明を省略する場合がある。
【０１９１】
図４３は、本実施の形態９に係る電動車両１０を示す平面図である。この図４３に示すように、充電部７８は、上面７５のエンジンルーフ８８に設けられている。図４４は、電動車両１０の左側面図である。この図４４に示すように、給油部７７は、左側面７１のリヤフェンダ８５Ｌに設けられている。受電部２０（受電装置１１）は、底面７６のうち、駆動室８０の下方に位置する部分に設けられている。
【０１９２】
図４５は、受電部２０と給油部７７と、充電部７８との搭載位置を模式的に示す平面図である。この図４５に示すように、受電部２０は前領域Ｒ２に設けられ、給油部７７は、後領域Ｒ３に設けられている。このため、給油部７７に強度の高い電磁界が達することを抑制することができる。
【０１９３】
充電部７８は、電動車両１０の上面７５に設けられると共に、受電部２０が電動車両１０の底面に設けられているため、強度の高い電磁界が充電部７８に達することが抑制されている。
【０１９４】
給油部７７は、受電部２０よりも受電部２０から離れた位置に設けられている。このため、給油部７７に強度の高い電磁界が達することが抑制される。
【０１９５】
一般的に、給油作業は、給油部７７に作業者が立って状態で行われる。その一方で、充電作業は、充電プラグを充電部７８に接続した状態で所定の時間放置されることが一般的である。
【０１９６】
このため、充電作業よりも給油作業の方が、作業者が電動車両１０の周囲にいる時間が長い。本実施の形態９に係る電動車両１０によれば、充電部７８よりも給油部７７の方が離れているため、給油作業者が保持する電子機器が電磁界から受ける影響を低減することができる。なお、充電部７８は、電動車両１０の上面７５に設けられている。その一方で底面７６に受電部２０が設けられているため、受電部２０に強度の高い電磁界が達することを抑制することができる。
【０１９７】
図４６は、実施の形態９に係る電動車両１０の変形例を模式的に示す平面図である。この図４６に示すように、充電部７８を左側面７１に設けるようにしてもよい。
【０１９８】
（実施の形態１０）
図４７および図４８を用いて、実施の形態１０に係る電動車両１０について説明する。なお、図４７および図４８に示す構成のうち、上記図１から図４６に示す構成と同一または相当する構成については、同一の符号を付してその説明を省略する場合がある。
【０１９９】
図４７は、本実施の形態１０に係る電動車両１０の左側面図である。この図４７に示すように、充電部７８は、左側面７１のフロントフェンダ８４Ｌに設けられ、給油部７７は、左側面７１のリヤフェンダ８５Ｌに設けられている。
【０２００】
図４８は、受電部２０と、給油部７７と、充電部７８との配置位置を模式的に示す平面図である。この図４８に示すように、受電部２０は、後領域Ｒ３に設けられ、充電部７８は、前領域Ｒ２に設けられている。
【０２０１】
充電部７８に強度の高い電磁界が達することを抑制することができる。２次コイル２２は、巻回軸Ｏが正面７３および背面７４を通るように配置されている。その一方で、充電部７８および給油部７７は、左側面７１に設けられている。このように、給油部７７および充電部７８は、電動車両１０の周面のうち、巻回軸Ｏ１が通らない面に設けられている。
【０２０２】
このため、給油部７７および充電部７８に強度の高い電磁界が達することが抑制されている。すなわち、２次コイル２２の周囲に形成される電磁界は、正面７３と背面７４とに向けて広く分布する一方で、充電部７８および給油部７７を、正面７３および背面７４と異なる面に設けることで、充電部７８および給油部７７に強度の高い電磁界が達することを抑制することができる。
【０２０３】
これにより、受電部２０を用いて電力を受電している際に、給油作業や充電作業を行ったとしても、作業者が保持する電子機器が電磁界から受ける影響を低減することができる。
【０２０４】
図４９は、本実施の形態１０の第１変形例を模式的に示す平面図である。この図４９に示すように、充電部７８を上面７５のエンジンルーフ８８に設けるようにしてもよい。このように、充電部７８が上面７５に設けられ、受電部２０が底面７６側に設けられているので、充電部７８に電磁界が達することを抑制することができる。
【０２０５】
なお、この図４９に示す例においては、バッテリ１５は、電動車両１０の底面７６側に設けられている。バッテリ１５と、充電部７８と、受電部２０とを電動車両１０の上方から平面視すると、バッテリ１５は、充電部７８と受電部２０との間に位置している。このめ、受電部２０の周囲に形成される電磁界が充電部７８に達することを抑制することができる。さらに、充電部７８と、受電部２０との間にバッテリ１５を配置することで、充電部７８とバッテリ１５との間の距離を短くすることができ、充電部７８とバッテリ１５とを接続する配線の長さを短くすることができる。
【０２０６】
図５０は、実施の形態１０に係る電動車両１０の第２変形例を模式的に示す平面図である。この図５０に示す例においては、充電部７８は、前領域Ｒ２に設けられると共に、右側面７２に設けられている。
【０２０７】
このような位置に充電部７８を配置しても、強度の高い電磁界が充電部７８に達することを抑制することができる。
【０２０８】
図５１は、実施の形態１０に係る電動車両１０の第３変形例を模式的に示す平面図である。この図５１に示す例においては、充電部７８は、上面７５のエンジンルーフ８８に設けられている。具体的には、充電部７８は、右側面７２と、正面７３と、左側面７１とのうち、右側面７２に最も近い位置に設けられている。
【０２０９】
このように、充電部７８が上面７５に設けられ、受電部２０が底面７６側に設けられているので、充電部７８に強度の強い電磁界が達することを抑制することができる。なお、給油部７７の搭載位置としては、前領域Ｒ２に設けるようにしてもよい。具体的には、前領域Ｒ２内に位置する左側面７１、右側面７２、正面７３または上面７５に設けるようにしてもよい。
【０２１０】
（実施の形態１１）
図５２から図５５を用いて、本実施の形態１１に係る電動車両１０について説明する。なお、図５２から図５５に示す構成のうち、上記図１から図５１に示す構成と同一または相当する構成については、同一の符号を付してその説明を省略する場合がある。
【０２１１】
図５２は、実施の形態１１に係る電動車両１０の正面図である。この図５２に示すように、充電部７８は、正面７３に設けられている。図５３は、給油部７７と充電部７８と受電部２０との配置位置を模式的に示す平面図である。
【０２１２】
この図５３に示すように、受電部２０は後領域Ｒ３に設けられており、充電部７８は、前領域Ｒ２に設けられている。充電部７８に強度の高い電磁界が達することを抑制することができる。２次コイル２２は、巻回軸Ｏ１が正面７３および背面７４を通るように配置され、２次コイル２２の周囲に形成される電磁界は、正面７３および背面７４に向けて広く分布する。その一方で、給油部７７は、左側面７１に設けられているため、強度の高い電磁界が給油部７７に達することを抑制することができる。
【０２１３】
図５４は、本実施の形態１１に係る電動車両１０の第１変形例を示す平面図であり、図５５は、給油部７７と充電部７８と、受電部２０との配置位置を模式的に示す平面図である。図５４および図５５に示すように、充電部７８は、エンジンルーフ８８に設けられると共に、右側面７２と、左側面７１と、正面７３とのうち、正面７３に最も近い位置に設けられている。
【０２１４】
なお、給油部７７の搭載位置としては、前領域Ｒ２内に位置する左側面７１と、右側面７２と、正面７３とのいずれかに設けるようにしてもよい。
【０２１５】
なお、給油部７７を前領域Ｒ２内に設けることで、給油部７７に強度の高い電磁界が達することを抑制することができる。これに伴い、給油作業者が所持する電子機器が電磁界から受ける影響を低減することができる。
【０２１６】
（実施の形態１２）
図５６から図５９を用いて、本実施の形態１２に係る電動車両１０について説明する。なお、図５６から図５９に示す構成のうち、図１から図５５に示す構成と同一または相当する構成については、同一の符号を付してその説明を省略する場合がある。
【０２１７】
図５６は、本実施の形態１２に係る電動車両１０の左側面図である。この図５６に示すように、充電部７８は、左側面７１のリヤフェンダ８５Ｌに設けられている。図５７は、電動車両１０の右側面図である。給油部７７は、右側面７２のリヤフェンダ８５Ｒに設けられている。図５８は、給油部７７と充電部７８と受電部２０との搭載位置を模式的に示す平面図である。
【０２１８】
この図５８に示すように、受電部２０は、前領域Ｒ２に設けられている。その一方で、充電部７８および給油部７７は、後領域Ｒ３に設けられている。このため、給油部７７および充電部７８に強度の高い電磁界が達することを抑制することができる。
【０２１９】
２次コイル２２は、巻回軸Ｏ１が背面７４および正面７３を通るように配置されている。その一方で、給油部７７は、右側面７２に設けられると共に、充電部７８が左側面７１に設けられているため、給油部７７および充電部７８に強度の高い電磁界が達することが抑制されている。
【０２２０】
図５９は、本実施の形態１２の第１変形例を模式的に示す平面図である。この図５９に示す例においても、給油部７７および充電部７８は、後領域Ｒ３に設けられると共に、受電部２０は、前領域Ｒ２に設けられている。なお、この図５９に示す例においては、給油部７７は、左側面７１に設けられ、充電部７８は、右側面７２に設けられている。
【０２２１】
図６０は、本実施の形態１２に係る電動車両１０の第２変形例を模式的に示す平面図である。この図６０に示す例においても、給油部７７および充電部７８は、後領域Ｒ３に設けられ、受電部２０は、前領域Ｒ２に設けられている。
【０２２２】
電動車両１０の周面のうち、背面７４が最も受電部２０から離れた面であり、充電部７８は、背面７４に設けられている。このため、充電部７８に強度の高い電磁界が達することを抑制することができる。
【０２２３】
（実施の形態１３）
図６１および図６２を用いて本実施の形態１３に係る電動車両１０について説明する。図６１および図６２に示す構成のうち、上記図１から図６０に示す構成と同一または相当する構成については、同一の符号を付してその説明を省略する場合がある。
【０２２４】
図６１は、本実施の形態１３に係る電動車両１０を示す右側面図である。この図６１に示すように、充電部７８および給油部７７は、右側面７２に設けられている。具体的には、給油部７７は、右側面７２のリヤフェンダ８５Ｒに設けられ、充電部７８は、右側面７２のフロントフェンダ８４Ｒに設けられている。
【０２２５】
図６２は、給油部７７と、充電部７８と、受電部２０との搭載位置を模式的に示す平面図である。この図６２において、中心線Ｏ３は電動車両１０の幅方向Ｄ２の中央部を通り、進行方向Ｄ１に延びる仮想線である。
【０２２６】
そして、電動車両１０のうち、中心線Ｏ３より右側に位置する領域を右領域Ｒ４とし、中心線Ｏ３よりも左側に位置する領域を左領域Ｒ５とする。
【０２２７】
受電部２０は、中心線Ｏ３から左領域Ｒ５にずれるように配置されている。なお、この図６２に示す例においては、受電部２０の略全体が左領域Ｒ５内に位置しているが、受電部２０の一部が右領域Ｒ４内に位置していてもよい。
【０２２８】
すなわち、受電部２０が中心線Ｏ３から左領域Ｒ５にずれているとは、受電部２０の全体が左領域Ｒ５内に位置する場合に限られず、受電部２０の一部が右領域Ｒ４内に位置している場合をも含む。より具体的には、受電部２０が左領域Ｒ５内に位置しているとは、右領域Ｒ４内に位置している２次コイル２２の体積よりも、左領域Ｒ５内に位置している２次コイル２２の体積の方が大きい場合も含む。なお、本実施の形態１３においては、２次コイル２２は、巻回軸Ｏ１が正面７３から背面７４を通るように配置されている。
【０２２９】
給油部７７と、充電部７８とは、いずれも、右領域Ｒ４に設けられている。具体的には、給油部７７および充電部７８は、右側面７２に設けられている。このように、受電部２０が左領域Ｒ５に設けられている一方で、給油部７７および充電部７８が右領域Ｒ４に設けられているので、２０の周囲に形成される電磁界が給油部７７および充電部７８に達することを抑制することができる。
【０２３０】
２次コイル２２は、巻回軸Ｏ１が正面７３および背面７４を通るように配置されているため、領域Ｒ１は、正面７３および背面７４の配列方向に広く分布する。その一方で、給油部７７および充電部７８は、電動車両１０の側面に設けられているため、受電部２０の周囲に形成される電磁界が給油部７７および充電部７８に達することを抑制することができる。
【０２３１】
受電部２０は正面７３よりも背面７４に近い位置に設けられており、充電部７８は、背面７４よりも正面７３に近い位置に設けられている。このため、充電部７８に強度の高い電磁界が達することを抑制することができる。
【０２３２】
図６３は、実施の形態１３に係る電動車両１０の変形例を示す平面図であり、図６４は、この電動車両１０における給油部７７と充電部７８と受電部２０との配置位置を模式的に示す平面図である。
【０２３３】
図６３に示すように、充電部７８を電動車両１０のエンジンルーフ８８に設けるようにしてもよい。なお、給油部７７は、右側面７２に設けられている。
【０２３４】
この図６３および図６４に示す例においては、充電部７８が上面７５に設けられているため、充電部７８に強度の強い電磁界が達することが抑制されている。これにより、充電部７８に設けられた電子機器や充電作業者が所持する電子機器が電磁界から受ける影響を抑制することができる。
【０２３５】
なお、本実施の形態１３においては、給油部７７は、正面７３よりも背面７４に近い位置に設けられているが、給油部７７を他の位置に設けるようにしてもよい。
【０２３６】
たとえば、給油部７７は、右側面７２のうち、背面７４よりも正面７３に近い位置に設けるようにしてもよい。
【０２３７】
この場合には、給油部７７に強度の高い電磁界が達することを抑制することができる。これにより、給油作業者が所持する電子機器が電磁界から受ける影響を低減することができる。
【０２３８】
（実施の形態１４）
図６５から図６７を用いて、本実施の形態１４に係る電動車両１０について説明する。なお、図６５から図６７に示す構成のうち、上記図１から図６４に示す例については、同一の符号を付してその説明を省略する場合がある。
【０２３９】
図６５は、実施の形態１４に係る電動車両１０の正面図である。この図６５に示すように、充電部７８は、電動車両１０の正面７３に設けられている。図６６は、電動車両１０の右側面図である。この図６６に示すように、給油部７７は、右側面７２のリヤフェンダ８５Ｒに設けられている。
【０２４０】
図６７は、受電部２０と、給油部７７と充電部７８との配置位置を模式的に示す平面図である。この図６７に示すように、受電部２０は、中心線Ｏ３から左領域Ｒ５にずれるように配置されている。２次コイル２２は、巻回軸Ｏ１が正面７３と背面７４とを通るように配置されている。
【０２４１】
給油部７７と充電部７８とは、いずれも、右領域Ｒ４に設けられているため、給油部７７および充電部７８に強度の高い電磁界が達することが抑制されている。
【０２４２】
受電部２０は、底面７６のうち、正面７３よりも背面７４に近い位置に設けられると共に、充電部７８は、正面７３に設けられているため、充電部７８に強度の高い電磁界が達することが抑制されている。
【０２４３】
図６８および図６９を用いて、本実施の形態１４に係る電動車両１０の変形例について説明する。図６８は、本実施の形態１４に係る電動車両１０の変形例を示す平面図である。図６９は、受電部２０と給油部７７と充電部７８との配置位置を模式的に示す平面図である。図６８に示すように、充電部７８は、エンジンルーフ８８に設けられている。
【０２４４】
図６９に示すように、給油部７７および充電部７８は、右領域Ｒ４に設けられると共に、受電部２０は、中心線Ｏ３から左領域Ｒ５にずれた位置に設けられている。そして、充電部７８が上面７５に配置されると共に、受電部２０が底面７６側に配置されているため、強度の高い電磁界が充電部７８に達することが抑制されている。
【０２４５】
なお、充電部７８は、中心線Ｏ３から右側面７２側にずれた位置に設けられている。その一方で、受電部２０は、中心線Ｏ３から左側面７１側にずれた位置に設けられている。このため、充電部７８に強度の高い電磁界が達することが抑制されている。
【０２４６】
（実施の形態１５）
図７０から図７２を用いて、本実施の形態１５に係る電動車両１０について説明する。なお、図７０から図７２に示す構成のうち、上記図１から図６９に示す構成と同一または相当する構成については、同一の符号を付してその説明を省略する。
【０２４７】
図７０は、本実施の形態１５に係る電動車両１０を示す左側面図である。この図７０に示すように、充電部７８は、左側面７１のフロントフェンダ８４Ｌに設けられている。図７１は、電動車両１０の右側面図である。この図７１に示すように、給油部７７は、右側面７２のリヤフェンダ８５Ｒに設けられている。
【０２４８】
図７２は、受電部２０と給油部７７と充電部７８との配置位置を模式的に示す平面図である。この図７２に示すように、受電部２０は中心線Ｏ３から左領域Ｒ５にずれるように配置されている。その一方で、給油部７７は、右領域Ｒ４に設けられており、給油部７７に強度の高い電磁界が達することが抑制されている。
【０２４９】
さらに、２次コイル２２は、巻回軸Ｏ１が正面７３および背面７４を通るように配置されており、強度の高い電磁界は、正面７３および背面７４に向けて分布する。
【０２５０】
その一方で、給油部７７および充電部７８は、右側面７２および左側面７１に設けられており、給油部７７および充電部７８に強度の高い電磁界が達することが抑制されている。
【０２５１】
受電部２０は、正面７３よりも背面７４に近い位置に設けられており、充電部７８は、背面７４よりも正面７３に近い位置に設けられている。強度の高い電磁界が充電部７８に達することを抑制することができる。
【０２５２】
図７３は、本実施の形態１５に係る電動車両１０の変形例を模式的に示す平面図である。この図７３に示す例においては、充電部７８は、上面７５のエンジンルーフ８８に設けられており、充電部７８は、エンジンルーフ８８のうち、左側面７１に近い位置に設けられている。
【０２５３】
このように、充電部７８を上面７５に設けられると共に、受電部２０が底面７６に設けられているため、充電部７８に強度の高い電磁界が達することを抑制することができる。
【０２５４】
（実施の形態１６）
図７４および図７５を用いて、本実施の形態１６に係る電動車両１０について説明する。なお、図７４から図７５に示す構成のうち、上記図１から図７３に示す構成と同一または相当する構成については、同一の符号を付してその説明を省略する場合がある。
【０２５５】
図７４は、本実施の形態１６に係る電動車両１０の左側面図である。この図７４に示すように、充電部７８は、左側面７１のフロントフェンダ８４Ｌに設けられ、給油部７７は、左側面７１のリヤフェンダ８５Ｌに設けられている。
【０２５６】
図７５は、給油部７７と充電部７８と受電部２０との配置位置を模式的に示す平面図である。この図７５に示すように、受電部２０は、中心線Ｏ３から右領域Ｒ４にずれるように配置されている。その一方で、充電部７８および給油部７７は、左領域Ｒ５に設けられている。これにより、強度の高い電磁界が給油部７７および充電部７８に達することが抑制される。
【０２５７】
２次コイル２２は、巻回軸Ｏ１が正面７３と背面７４とを通るように配置されており、強度の高い電磁界は、正面７３から背面７４に向けて分布する。その一方で、充電部７８および給油部７７は、左側面７１に設けられており、給油部７７および充電部７８に強度の高い電磁界が達することが抑制されている。
【０２５８】
受電部２０は、正面７３よりも背面７４に近い位置に設けられており、充電部７８は、正面７３に近い位置に設けられている。このため、充電部７８に強度の高い電磁界が達することを抑制することができる。
【０２５９】
図７６は、本実施の形態１６に係る電動車両１０の第１変形例を模式的に示す平面図である。この図７６に示す例においては、充電部７８は、上面７５に設けられている。具体的には、充電部７８は、エンジンルーフ８８に設けられており、充電部７８は、左側面７１と、右側面７２と、正面７３とのうち、最も左側面７１に近い位置に設けられている。このように、充電部７８を上面７５に設ける一方で、受電部２０を底面７６側に配置することで、強度の高い電磁界が充電部７８に達することを抑制することができる。
【０２６０】
（実施の形態１７）
図７７から図７９を用いて、本実施の形態１７に係る電動車両１０について説明する。なお、図７７から図７９に示す構成のうち、上記図１から図７６に示す構成と同一または相当する構成については、同一の符号を付してその説明を省略する場合がある。図７７は、実施の形態１７に係る電動車両１０の正面図である。この図７７に示すように、充電部７８は、電動車両１０の正面７３に設けられている。
【０２６１】
図７８は、受電部２０と給油部７７と充電部７８との搭載位置を模式的に示す平面図である。この図７８に示すように、充電部７８と、給油部７７とは、左領域Ｒ５に設けられている一方で、受電部２０は、右領域Ｒ４に設けられている。このため、給油部７７および充電部７８に強度の高い電磁界が達することが抑制されている。
【０２６２】
さらに、充電部７８は、正面７３に設けられており、受電部２０は、背面７４の近傍に配置されている。このため、充電部７８に強度の高い電磁界が達することを抑制することができる。
【０２６３】
図７９は、本実施の形態１７の第１変形例を模式的に示す平面図である。この図７９に示すように、充電部７８は、上面７５に設けられている。その一方で、受電部２０は、底面７６側に配置されているため、充電部７８に強度の高い電磁界が達することが抑制されている。
【０２６４】
なお、図７９に示す例においては、充電部７８は、エンジンルーフ８８に設けられている。充電部７８は、左側面７１と、右側面７２と、正面７３とのうち、正面７３に最も近接する位置に設けられている。充電部７８は、中心線Ｏ３から左側面７１側にずれた位置に設けられている。
【０２６５】
図８０は、本実施の形態１７の第２変形例を模式的に示す平面図である。この図８０に示すように、充電部７８は、右領域Ｒ４および左領域Ｒ５のいずれにも跨るように配置してもよい。
【０２６６】
図８１は、実施の形態１７の第３変形例を模式的に示す平面図である。この図８１に示す例においては、受電部２０は、中心線Ｏ３から右領域Ｒ４にずれるように配置されている。受電部２０の大部分は、右領域Ｒ４内に位置すると共に、受電部２０の一部が左領域Ｒ５内に位置している。給油部７７は、左領域Ｒ５内に位置しており、充電部７８は、右領域Ｒ４内に位置している。このため、給油部７７に強度の高い電磁界が達することを抑制することができる。
【０２６７】
なお、充電部７８は、右領域Ｒ４内に設けられると共に、充電部７８は、正面７３の近傍に設けられている。その一方で、受電部２０は背面７４の近傍に配置されており、充電部７８に強度の高い電磁界が達することを抑制することができる。
【０２６８】
（実施の形態１８）
図８２から図８５を用いて、本実施の形態１８に係る電動車両１０について説明する。なお、図８２から図８５に示す構成のうち、図１から図８１に示す構成と同一または相当する構成については、同一の符号を付してその説明を省略する場合がある。
【０２６９】
図８２は、本実施の形態１８に係る電動車両１０の正面図である。この図８２に示すように、充電部７８は、正面７３に設けられている。図８３は、電動車両１０の左側面図である。この図８３に示すように、給油部７７は、左側面７１のリヤフェンダ８５Ｌに設けられている。
【０２７０】
図８４は、受電部２０と、給油部７７と、充電部７８との搭載位置を模式的に示す平面図である。この図８４において、受電部２０は、中心線Ｏ３から右領域Ｒ４にずれるように配置されている。なお、２次コイル２２は、巻回軸Ｏ１が左側面７１と右側面７２とを通るように配置されている。
【０２７１】
ここで、巻回軸Ｏ１が延びる方向における２次コイル２２の中央部をコイル中心Ｐ２とすると、コイル中心Ｐ２は、右領域Ｒ４内に位置している。このため、右領域Ｒ４内に位置する２次コイル２２の体積は、左領域Ｒ５内に位置する２次コイル２２の体積よりも大きい。
【０２７２】
その一方で、給油部７７および充電部７８は、左領域Ｒ５に設けられている。このため、強度の高い電磁界が給油部７７および充電部７８に達することが抑制されている。
【０２７３】
受電部２０は、正面７３よりも背面７４に近い位置に設けられている。充電部７８は、正面７３に設けられているため、強度の高い電磁界が充電部７８に達することが抑制されている。
【０２７４】
図８５は、本実施の形態１８に係る電動車両１０の変形例を模式的に示す平面図である。この図８５に示すように、充電部７８は、電動車両１０の上面７５に設けられている。具体的には、充電部７８は、エンジンルーフ８８に設けられている。充電部７８は、左側面７１と、右側面７２と、正面７３とのうち、正面７３に最も近接する位置に設けられている。なお、充電部７８は、右側面７２よりも左側面７１に近接する位置に設けられている。このように、充電部７８を上面７５に設けることで、強度の高い電磁界が充電部７８に達することを抑制することができる。
【０２７５】
（実施の形態１９）
図８６と図８７とを用いて、本実施の形態１９に係る電動車両１０について説明する。なお、図８６と図８７とに示す構成のうち、上記図１から図８５に示す構成と同一または相当する構成については、同一の符号を付してその説明を省略する場合がある。
【０２７６】
図８６は、本実施の形態１９に係る電動車両１０の左側面図である。この図８６に示すように、給油部７７および充電部７８は、電動車両１０の左側面７１に設けられている。給油部７７は、リヤフェンダ８５Ｌに設けられ、充電部７８は、フロントフェンダ８４Ｌに設けられている。このため、給油部７７と充電部７８との間には、乗降用開口部８２Ｌが位置している。
【０２７７】
受電部２０は、中心線Ｏ３から右領域Ｒ４にずれるように配置されている。２次コイル２２のコイル中心Ｐ２は右領域Ｒ４内に位置している。
【０２７８】
その一方で、給油部７７および充電部７８は、いずれも、左領域Ｒ５内に位置しており、給油部７７および充電部７８に強度の高い電磁界が達することが抑制されている。
【０２７９】
受電部２０は、正面７３よりも背面７４に近い位置に設けられており、充電部７８は、背面７４よりも正面７３に近い位置に設けられている。このため、充電部７８に強度の高い電磁界が達することが抑制されている。
【０２８０】
図８８および図８９を用いて、本実施の形態１９に係る電動車両１０の第１変形例について説明する。図８８は、電動車両１０の平面図であり、この図８８に示すように、充電部７８は、電動車両１０の上面７５に設けられている。このため、底面７６側に配置された受電部２０の周囲に形成される電磁界が充電部７８に達することを抑制することができる。
【０２８１】
具体的には、充電部７８は、エンジンルーフ８８に設けられている。充電部７８は、左側面７１と右側面７２と正面７３とのうち、左側面７１に最も近接するように配置されている。なお、給油部７７は左側面７１のリヤフェンダ８５Ｌに設けられている。このため、給油部７７と充電部７８との間には、乗降用開口部８２Ｌが位置している。
【０２８２】
（実施の形態２０）
図９０から図９３を用いて、本実施の形態２０に係る電動車両１０について説明する。図９０から図９３に示す構成のうち、上記図１から図８９に示す構成と同一または相当する構成については、同一の符号を付してその説明を省略する場合がある。
【０２８３】
図９０は、本実施の形態２０に係る電動車両１０の左側面図である。この図９０に示すように、給油部７７は、左側面７１に設けられる。給油部７７は、乗降用開口部８２Ｌよりも前方側に設けられており、給油部７７は、フロントフェンダ８４Ｌに設けられている。図９１は、電動車両１０の右側面図である。この図９１に示すように、充電部７８は、右側面７２に設けられている。充電部７８は、乗降用開口部８２Ｒよりも進行方向Ｄ１前方側に配置されており、充電部７８は、フロントフェンダ８４Ｒに設けられている。
【０２８４】
図９２は、受電部２０と給油部７７と充電部７８との搭載位置を模式的に示す平面図である。この図９２に示すように、受電部２０は、中心線Ｏ３から右領域Ｒ４にずれるように配置されている。
【０２８５】
このため、２次コイル２２のコイル中心Ｐ２は、右領域Ｒ４内に位置している。２次コイル２２のうち、右領域Ｒ４内に位置する体積は、２次コイル２２のうち、左領域Ｒ５内に位置する体積よりも大きい。
【０２８６】
その一方で、給油部７７は、左領域Ｒ５内に位置しているため、給油部７７に強度の高い電磁界が達することを抑制することができる。
【０２８７】
充電部７８は、背面７４よりも正面７３に近い位置に設けられている。受電部２０は、正面７３よりも背面７４に近い位置に設けられている。このため、充電部７８に強度の高い電磁界が達することが抑制されている。
【０２８８】
図９３は、本実施の形態２０に係る電動車両１０の第１変形例を模式的に示す平面図である。この図９３に示す例においては充電部７８は、電動車両１０の上面７５に設けられている。その一方で、受電部２０は、底面７６側に配置されているため、充電部７８に強度の高い電磁界が達することが抑制されている。
【０２８９】
上記のように、本実施の形態においては、受電部２０が中心線Ｏ３から右領域Ｒ４側にずれるように配置され、給油部７７を左領域Ｒ５に配置している。
【０２９０】
（実施の形態２１）
図９４から図９７を用いて、本実施の形態２１に係る電動車両１０について説明する。なお、図９４から図９７に示す構成のうち、上記図１から図９３に示す構成と同一または相当する構成については、同一の符号を付してその説明を省略する。
【０２９１】
図９４は、本実施の形態２１に係る電動車両１０の左側面図である。この図９４に示すように、充電部７８は、左側面７１に設けられている。充電部７８は、乗降用開口部８２Ｌよりも進行方向Ｄ１前方側に配置されており、充電部７８は、フロントフェンダ８４Ｌに設けられている。
【０２９２】
図９５は、電動車両１０の右側面図である。この図９５に示すように、給油部７７は、電動車両１０の右側面７２に設けられている。給油部７７は、乗降用開口部８２Ｒの進行方向Ｄ１後方側に位置しており、給油部７７は、リヤフェンダ８５Ｒに設けられている。
【０２９３】
図９６は、受電部２０と給油部７７と充電部７８との搭載位置を模式的に示す平面図である。この図９６に示すように、受電部２０は、中心線Ｏ３に対して左領域Ｒ５側にずれた位置に設けられている。
【０２９４】
なお、２次コイル２２は、巻回軸Ｏ１が左側面７１と右側面７２とを通るように配置されている。そして、２次コイル２２のコイル中心Ｐ２は、左領域Ｒ５内に位置している。
【０２９５】
このように、受電部２０が左領域Ｒ５側に配置されている一方で、給油部７７は、右領域Ｒ４に設けられている。このため、給油部７７に強度の高い電磁界が達することが抑制されている。
【０２９６】
充電部７８は、背面７４よりも正面７３に近い位置に設けられている。その一方で、受電部２０は、正面７３よりも背面７４に近い位置に設けられている。このため、充電部７８に強度の高い電磁界が達することが抑制されている。
【０２９７】
図９７は、本実施の形態２１の第１変形例を模式的に示す平面図である。この図９７に示すように、充電部７８は、電動車両１０の上面７５に設けられている。充電部７８は、エンジンルーフ８８に設けられている。充電部７８は、左側面７１と、右側面７２と、正面７３とのうち、左側面７１に最も近接するように配置されている。これにより、充電部７８に強度の高い電磁界が達することを抑制することができる。
【０２９８】
（実施の形態２２）
図９８から図１０１を用いて、本実施の形態２２に係る電動車両１０について説明する。なお、図９８から図１０１に示す構成のうち、上記図１から図９７に示す構成と同一または相当する構成については、同一の符号を付してその説明を省略する場合がある。
【０２９９】
図９８は、本実施の形態２２に係る電動車両１０の正面図である。この図９８に示すように、充電部７８は、電動車両１０の正面７３に設けられている。図９９は、電動車両１０の右側面図である。この図９９に示すように、給油部７７は、右側面７２のリヤフェンダ８５Ｒに設けられている。
【０３００】
図１００は、受電部２０と給油部７７と充電部７８との搭載位置を模式的に示す平面図である。この図１００に示すように、受電部２０は、中心線Ｏ３から左領域Ｒ５にずれるように配置されている。このため、２次コイル２２のコイル中心Ｐ２は、左領域Ｒ５内に位置している。ここで、給油部７７は、右領域Ｒ４に位置しているため、強度の高い電磁界が給油部７７に達することが抑制されている。
【０３０１】
図１０１は、本実施の形態２２の変形例を模式的に示す平面図である。この図１０１に示す例においては、充電部７８は、電動車両１０の上面７５に設けられている。具体的には、充電部７８は、エンジンルーフ８８に設けられている。
【０３０２】
充電部７８は、左側面７１と、右側面７２と、正面７３とのうち正面７３に最も近接するように配置されている。その一方で、充電部７８は、中心線Ｏ３から左領域Ｒ５にずれるように配置されている。
【０３０３】
なお、上記実施の形態１〜２２に係る電動車両１０は、給油部７７および充電部７８のいずれも有する車両について説明したが、電動車両１０としては、給油部７７と充電部７８との一方を備えればよい。すなわち、本発明は、給油部７７を有さない電動車両１０や充電部７８を有さない電動車両１０にも適用することができる。
【０３０４】
（実施の形態２３）
図１０２から図１０３を用いて、本実施の形態２３に係る電動車両１０について説明する。なお、図１０２から図１０３に示す構成のうち、上記図１から図１０１に示す構成と同一または相当する構成については、同一の符号を付してその説明を省略する場合がある。なお、本実施の形態２３に係る電動車両１０は、電気自動車であり、給油部を備えていない。
【０３０５】
図１０２は、本実施の形態２３に係る電動車両１０を示す平面図である。この図１０２に示すように、電動車両１０は、充電部７８を有し、充電部７８は、エンジンルーフ８８に設けられている。図１０３は、図１０２に示す電動車両１０の受電部２０と充電部７８との搭載位置を模式的に示す平面図である。
【０３０６】
この図１０３に示すように、受電部２０は、後領域Ｒ３に設けられ、充電部７８は前領域Ｒ２に設けられている。このため、受電部２０の周囲に形成される電磁界が充電部７８に達することを抑制することができる。さらに、充電部７８は、電動車両１０の上面７５に設けられ、受電部２０は、電動車両１０の底面７６側に設けられているため、充電部７８に強度の高い電磁界が達することが抑制されている。
【０３０７】
また、バッテリ１５は、電動車両１０の底面７６に設けられている。バッテリ１５と、充電部７８と、受電部２０とを電動車両１０の上方から平面視すると、バッテリ１５は、充電部７８と、受電部２０との間に配置されている。このため、充電部７８に強度の高い電磁界が達することが抑制されている。さらに、充電部７８と、受電部２０との間にバッテリ１５を配置することで、充電部７８とバッテリ１５との間の距離を短くすることができ、充電部７８とバッテリ１５とを接続する配線の長さを短くすることができる。
【０３０８】
なお、充電部７８が上面７５に設けられている例について説明したが、充電部７８は、前領域Ｒ２内に位置する左側面７１、右側面７２および正面７３のいずれかに設けるようにしてもよい。
【０３０９】
さらに、受電部２０が中心線Ｏ２よりも、後領域Ｒ３側にずれた位置に配置された例について説明したが、受電部２０を中心線Ｏ２よりも前領域Ｒ２側にずれた位置に配置するようにしてもよい。この場合には、充電部７８は、後領域Ｒ３に設けられる。
【０３１０】
また、受電部２０が中心線Ｏ３から右領域Ｒ４にずれた位置に配置された場合には、充電部７８は、左領域Ｒ５に設けられる。また、受電部２０が中心線Ｏ３から左領域Ｒ５にずれた位置に設けられると、充電部７８は、右領域Ｒ４に設けられる。
【０３１１】
（実施の形態２４）
図１０４を用いて、本実施の形態２４に係る電動車両１０について説明する。この図１０４に示す構成のうち、上記図１から図１０３に示す構成と同一または相当する構成については、同一の符号を付してその説明を省略する場合がある。なお、この図１０４に示す例においては、充電部７８は設けられていない。
【０３１２】
図１０４は、本実施の形態２４に係る電動車両１０を模式的に示す平面図である。この図１０４に示すように、受電部２０は、中心線Ｏ２から後領域Ｒ３にずれた位置に設けられている。給油部７７は、前領域Ｒ２に設けられている。
【０３１３】
このため、受電部２０の周囲に形成される電磁界が給油部７７に達することが抑制されている。
【０３１４】
燃料タンク７９は、電動車両１０の底面７６側に設けられている。燃料タンク７９と、給油部７７と、受電部２０とを電動車両１０の上方から平面視すると、受電部２０と給油部７７との間に燃料タンク７９が設けられている。このため、給油部７７に強度の高い電磁界が達することが抑制されている。
【０３１５】
なお、本実施の形態２４においては、受電部２０が後領域Ｒ３に設けられた例について説明したが、受電部２０を前領域Ｒ２に設けるようにしてもよい。この場合、給油部７７は、後領域Ｒ３に設けられる。
【０３１６】
なお、受電部２０を中心線Ｏ３から右領域Ｒ４にずれた位置に配置してもよい。この場合では、給油部７７は、中心線Ｏ３から左領域Ｒ５にずれた位置に設けられる。
【０３１７】
また、受電部２０が中心線Ｏ３から左領域Ｒ５にずれた位置に配置された場合には、給油部７７は、中心線Ｏ３から右領域Ｒ４にずれた位置に設けられる。
【０３１８】
なお、上記実施の形態１〜２４においては、受電部２０として、長方形形状のフェライトコア２１に２次コイル２２を巻きつけた例について説明したが、受電部２０としては、各種の例を採用することができる。
【０３１９】
そこで、以下に受電部および送電部の変形例について説明する。当然ことながら、以下に示す受電部や送電部を上記実施の形態１〜２４で説明した搭載位置に搭載することは出願当初から予定されている。
【０３２０】
（実施の形態２５）
図１０５から図１０８を用いて、電動車両１０について説明する。なお、図１０５から図１０８に示す構成のうち、上記図１から図１０７に示す構成と同一または相当する構成については、同一の符号を付してその説明を省略する場合がある。
【０３２１】
図１０５は、本実施の形態２５に係る電動車両１０を模式的に示す平面図である。この図１０５に示す例においては、受電部２０は、電動車両１０の後領域Ｒ３に設けられている。
【０３２２】
図１０６は、受電部２０を示す平面図である。図１０７は、図１０６に示すＣＶＩＩ−ＣＶＩＩ線における断面図である。図１０６および図１０７に示すように、受電部２０は、フェライトコア２１と、このフェライトコア２１の下面に設けられたコイルユニット１２０とを含む。
【０３２３】
フェライトコア２１は、長方形形状となるように形成されており、図１０５に示すように、フェライトコア２１は、幅方向Ｄ２に長くなるように配置されている。
【０３２４】
図１０６および図１０７において、コイルユニット１２０は、フェライトコア２１の長手方向に配列するコイル１２１と、コイル１２２とを含む。
【０３２５】
コイル１２１は、巻回軸Ｏ４を中心にリッツ線（コイル線）を巻回することで、形成されており、リッツ線は、フェライトコア２１の下面を通る平面内で巻きまわされている。
【０３２６】
コイル１２２は、巻回軸Ｏ５を中心にリッツ線（コイル線）を巻きまわすことで、形成されており、リッツ線は、フェライトコア２１の下面を通る仮想平面内で巻き回されている。
【０３２７】
なお、コイル１２１およびコイル１２２とは、いずれも、中空状に巻回されており、コイル１２１およびコイル１２２の中空部からフェライトコア２１が露出している。
【０３２８】
図１０８は、受電部２０および送電部５６を示す斜視図である。この図１０８に示すように、送電部５６も受電部２０と同様に形成されている。
【０３２９】
送電部５６は、板状に形成されたコアフェライトコア１２６と、このコアフェライトコア１２６の上面上に配置されたコイルユニット１２５とを含む。
【０３３０】
コアフェライトコア１２６も長方形形状に形成されている。コイルユニット１２５は、コアフェライトコア１２６の長手方向に配列するコイル１２３と、コイル１２４とを含む。
【０３３１】
コイル１２３は、巻回軸の周囲を取り囲むようにリッツ線（コイル線）を巻回して形成されており、リッツ線は、コアフェライトコア１２６の上面を通る平面で巻き回されている。コイル１２４は、巻回軸の周囲を取り囲むようにリッツ線を巻回して形成されており、このリッツ線もコアフェライトコア１２６の上面を通る平面で巻き回されている。
【０３３２】
コイル１２３およびコイル１２４は、いずれも、中空状に巻回されており、コイル１２３およびコイル１２４の中空部からコアフェライトコア１２６が露出している。
【０３３３】
このように形成された受電部２０と、送電部５６との間で電力伝送すると、磁路が受電部２０と送電部５６との間で形成される。
【０３３４】
磁路１３０は、コイル１２３の中空部と、エアギャップと、コイル１２１の中空部と、フェライトコア２１のうちコイル１２１の中空部から露出する部分と、フェライトコア２１のコイル１２１およびコイル１２２の間に位置する部分とを通る。さらに、磁路１３０は、フェライトコア２１のうち、コイル１２２の中空部から露出する部分と、コイル１２２の中空部と、エアギャップと、コイル１２４の中空部とを通る。また、磁路１３０は、フェライトコア１２６のうち、コイル１２４の中空部から露出する部分と、フェライトコア１２６のうち、コイル１２３とコイル１２４との間に位置する部分と、フェライトコア１２６のうち、コイル１２３の中空部から露出する部分とを通る。
【０３３５】
このように、受電部２０と送電部５６との間で磁路１３０が形成されることで、受電部２０と送電部５６との間における電力伝送効率の向上が図られている。
【０３３６】
ここで、図１０５に示すように、受電部２０を用いて、電力伝送を行うと、強度の高い電磁界（領域Ｒ１）は、フェライトコア２１の幅方向よりもフェライトコア２１の長手方向に広く分布する。
【０３３７】
フェライトコア２１の長手方向が電動車両１０の幅方向Ｄ２となるように、受電部２０が配置され、給油部７７および充電部７８は、前領域Ｒ２に設けられているため、強度の高い電磁界が達することを抑制することができる。
【０３３８】
なお、本実施の形態に係る例においては、フェライトコア２１の長手方向が幅方向Ｄ２に向くように配置された例について説明したが、フェライトコア２１の長手方向が進行方向Ｄ１に向くように受電部２０を配置してもよい。このように、受電部２０を配置すると、領域Ｒ１は、幅方向Ｄ２よりも進行方向Ｄ１に広く分布する。
【０３３９】
（実施の形態２６）
図１０９から図１１５を用いて、本実施の形態に係る電動車両１０について説明する。この図１０９から図１１５に示す構成のうち、図１から図１０８に示す構成と同一または相当する構成については、同一の符号を付してその説明を省略する場合がある。
【０３４０】
図１０９は、本実施の形態２６に係る電動車両１０を模式的に示す平面図である。この図１０９に示す例に示すように、受電部２０は、後領域Ｒ３に設けられている。その一方で、給油部７７および充電部７８は、前領域Ｒ２に設けられている。
【０３４１】
図１１０は、受電部２０を模式的に示す平面図である。この図１１０に示すように、受電部２０は、フェライトコア１４０と、このフェライトコア１４０に巻回されたコイルユニット１４１とを含む。
【０３４２】
フェライトコア１４０は、軸部１４６と、この軸部１４６の一方の端部に形成された幅広部１４５と、軸部１４６の他方の端部に設けられた幅広部１４７とを含む。コイルユニット１４１は、板状に形成されている。幅広部１４５の幅Ｗ４と幅広部１４７の幅Ｗ５は、軸部１４６の幅Ｗ３よりも大きい。
【０３４３】
なお、受電部２０として、フェライトコア１４０に替えてアルミニウム板を採用してもよい。
【０３４４】
コイルユニット１４１は、軸部１４６に巻回されたコイル１４２およびコイル１４３を含む。コイル１４２とコイル１４３とは、軸部１４６の長手方向に間隔をあけて設けられている。
【０３４５】
ここで、コイル１４２と、コイル１４３とには、別々に電流が供給されている。このため、コイル１４２を流れる電流の方向と、コイル１４３を流れる電流の方向とは、別々に制御可能となっている。
【０３４６】
なお、本実施の形態に係る受電部２０は、同種の送電部５６のみならず、異種の送電部５６からも電力を受電することができる。
【０３４７】
そこで、まず、受電部２０と同種の送電部５６から電力受電するときについて、図１１１を用いて説明する。
【０３４８】
図１１１は、受電部２０と送電部５６と模式的に示す斜視図である。この図１１１に示すように、送電部５６は、フェライトコア１５０と、このフェライトコア１５０に設けられたコイルユニット１５４と、制御部１５７とを含む。
【０３４９】
フェライトコア１５０は、軸部１５１と、この軸部１５１の一方の端部に設けられた幅広部１５２と、軸部１５１の他方の端部に設けられた幅広部１５３とを含む。なお、幅広部１５２および幅広部１５３の幅は、軸部１５１の幅よりも大きい。
【０３５０】
なお、送電部５６において、フェライトコア１５０に替えて、アルミニウム板を採用してもよい。
【０３５１】
コイルユニット１５４は、軸部１５１に設けられたコイル１５５と、軸部１５１に設けられると共に、コイル１５５と間隔をあけて配置されたコイル１５６とを含む。
【０３５２】
ここで、コイル１５５を流れる電流の方向と、コイル１５６を流れる電流の方向とは、各々別々に制御可能となっている。
【０３５３】
制御部１５７は、コイル１５５を流れる電流の流通方向を切り替え（制御）可能であると共に、コイル１５６を流れる電流の流通方向も切り替え（制御）可能である。
【０３５４】
このように形成された受電部２０と送電部５６との間の電力伝送について説明する。ここで、図１１１において、コイル１５５およびコイル１５６に同じ方向に電流を流す。これにより、磁路１５８が形成される。磁路１５８は、幅広部１５２と、コイル１５５内と、軸部１５１と、コイル１５６内と、幅広部１５３と、エアギャップと、幅広部１４７と、コイル１４３内と、軸部１４６と、コイル１４２内と、幅広部１４５と、エアギャップとを通る。これにより、コイル１４２およびコイル１４３に電流が流れる。このようにして、受電部２０は、受電部２０と同種の送電部５６から電力を受電することができる。
【０３５５】
図１１２を用いて、受電部２０と異なるタイプの送電部５６から受電部２０が電力を受電するメカニズムについて説明する。
【０３５６】
図１１２において、送電部５６は、フェライトコア１６０と、このフェライトコア１６０に設けられたコイル１６３とを含む。
【０３５７】
フェライトコア１６０は、中央部に溝部１６４が形成された板状の基部１６２と、溝部１６４に形成された軸部１６１とを含む。コイル１６３は、溝部１６４内に配置されると共に、軸部１６１を取り囲むように配置されている。
【０３５８】
このように、形成された受電部２０と送電部５６との間での電力伝送のメカニズムについて説明する。
【０３５９】
ここで、コイル１６３に電流が流れると、磁路１６５と、磁路１６６とが形成される。磁路１６５は、たとえば、軸部１６１と、エアギャップと、軸部１４６と、コイル１４２内と、幅広部１４５と、エアギャップと、基部１６２とを通る。
【０３６０】
磁路１６６は、軸部１６１と、エアギャップと、軸部１４６と、コイル１４３内と、幅広部１４７と、エアギャップと、基部１６２とを通る。
【０３６１】
そして、コイル１４２と、コイル１４３とに電流が流れる。この際、コイル１４３と、コイル１４２とは、電流が流れる方向が逆となる。このようにして、受電部２０は、送電部５６から電力を受電する。
【０３６２】
ここで、上記のような受電部２０が電力を受電すると、強度の高い電磁界は、コイル１４２およびコイル１４３の巻回軸の延びる方向に広く分布する。
【０３６３】
図１０９において、コイル１４２およびコイル１４３の巻回軸が幅方向Ｄ２に延びるように受電部２０が配置されている。
【０３６４】
その一方で、給油部７７および充電部７８は、前領域Ｒ２に設けられており、受電部２０の周囲に形成される電磁界が給油部７７および充電部７８に達することを抑制することができる。
【０３６５】
なお、図１０９に示す例においては、コイル１４２およびコイル１４３の巻回軸が幅方向Ｄ２に向くように受電部２０が配置されているが、コイル１４２およびコイル１４３の巻回軸が進行方向Ｄ１に向くように受電部２０を配置してもよい。
【０３６６】
なお、図１１３は、受電部２０の変形例を示す平面図である。この図１１３に示すように、受電部２０は、コイル１４２とコイル１４３との間に設けられた中間コイル１４９をさらに含む。この図１１３に示す例おいても、各種の送電部５６から電力を受電することができる。なお、図１１４は、図１１３に示す受電部２０と、この受電部２０と同種の送電部５６との間で電力伝送しているときの様子を示す斜視図である。
【０３６７】
図１１５は、図１１３に示す受電部２０と、当該受電部２０と異なるタイプ送電部５６との間で電力伝送しているときの様子を示す斜視図である。
【０３６８】
このように、図１１３に示す受電部２０においても、各種の送電部５６から電力を受電することができる。
【０３６９】
（実施の形態２７）
図１１６から図１１９を用いて、本実施の形態２７に係る電動車両１０について説明する。なお、図１１６から図１１９に示す構成のうち、上記図１から図１１５に示す構成と同一または相当する構成については、同一の符号を付してその説明を省略する場合がある。
【０３７０】
図１１６は、本実施の形態２７に係る電動車両１０を模式的に示す平面図である。この図１１６に示す例においては、受電部２０は、中心線Ｏ２から後領域Ｒ３にずれるように配置されている。給油部７７および充電部７８は、前領域Ｒ２に設けられている。
【０３７１】
図１１７において、受電部２０は、フェライトコア１７０と、このフェライトコア１７０に設けられたコイルユニット１７１とを含む。
【０３７２】
フェライトコア１７０は、複数のコア片１７３，１７４，１７５，１７６を含む。各コア片１７３，１７４，１７５，１７６の一方の端部は、互いに接続されている。
【０３７３】
コイルユニット１７１は、コア片１７３に巻回されたコイル１８４と、コア片１７４に巻回されたコイル１８１と、コア片１７５に巻回されたコイル１８２と、コア片１７６に巻回されたコイル１８３とを含む。これにより、フェライトコア１７０は、十字形状とされている。なお、フェライトコア１７０は板状に形成されている。
【０３７４】
このように形成された受電部２０は、各種のタイプの送電部にも対応することができる。図１１８は、図１１７に示す受電部２０と、この受電部２０と同じタイプの受電部２０との間で電力伝送しているときの様子を示す斜視図である。この図１１８に示すように、送電部５６は、十字形状のフェライトコア１８５と、このフェライトコア１８５に設けられたコイルユニット１８６とを含む。
【０３７５】
フェライトコア１８５は、複数のコア片部を含む。コイルユニット１８６は、各コア片に巻回されたコイル１８７，１８８，１８９，１９０を含む。
【０３７６】
このように形成された送電部５６と受電部２０との間で電力伝送する際には、送電部５６のコイル１８７，１８８，１８９，１９０に電流が流れる。これにより、たとえば、図１１８に示す例においては、コイル１８４とコイル１８７との間で磁路１９５が形成される。コイル１８１とコイル１８８との間で磁路１９６が形成される。コイル１８２とコイル１８９との間で磁路１９７が形成される。コイル１８３とコイル１９０との間で磁路１９８が形成される。
【０３７７】
このように、受電部２０と、送電部５６との間で複数の磁路が形成され、受電部２０が送電部５６から電力を受電する。次に、図１１９を用いて、受電部２０と、この受電部２０とは異なるタイプの送電部５６との間で電力伝送するときについて説明する。
【０３７８】
図１１９は、受電部２０と、送電部５６との間で電力伝送するときの様子を示す斜視図である。この図１１９において、送電部５６は、フェライトコア１６０と、コイル１６３とを含む。
【０３７９】
基部１６２は、板状に形成されており、この基部１６２には、溝部１６４と、この溝部１６４の中央部から上方に向けて突出するように形成された軸部１６１とを含む。コイル１６３は、軸部１６１に巻回されている。
【０３８０】
このように、形成された送電部５６と受電部２０との間で電力伝送する際には、送電部５６のコイル１６３に電流が流れる。
【０３８１】
これにより、受電部２０と送電部５６との間で磁路２０１，２０２が形成される。たとえば、磁路２０１は、軸部１６１と、エアギャップと、フェライトコア１７０の中央部と、コイル１８１内と、コア片１７４の端部と、エアギャップと、フェライトコア１６０とを通る。磁路２０２は、軸部１６１とエアギャップとフェライトコア１７０の中央部と、コイル１８３内と、コア片１７６と、エアギャップと、フェライトコア１６０とをとおる。
【０３８２】
このように、受電部２０と送電部５６との間で磁路が形成されることで、コイル１８１と、コイル１８３とに大きな電流が流れる。これにより、受電部２０が送電部５６から電力を受電する。
【０３８３】
このように、本実施の形態に係る電動車両１０に搭載された受電部２０によれば、各種の送電部５６から電力を受電することができる。
【０３８４】
ここで、図１１６に示すように、受電部２０は、後領域Ｒ３に設けられ、給油部７７および充電部７８は、前領域Ｒ２に設けられている。このため、図１１８や図１１９に示すように、受電部２０が電力を受電したとしても、受電部２０の周囲に形成される電磁界が給油部７７および充電部７８に達することが抑制される。
【０３８５】
たとえば、図１１８に示すように受電部２０と送電部５６とが電力伝送を行った場合には、図１１６において、進行方向Ｄ１および幅方向Ｄ２のいずれにも強度の高い電磁界が形成される。このように電磁界が分布したとしても、給油部７７および充電部７８に強度の高い電磁界が達することを抑制することができる。
【０３８６】
また、図１１９に示すように、受電部２０と送電部５６とが電力伝送を行った場合には、図１１６において、幅方向Ｄ２よりも進行方向Ｄ１に強度の高い電磁界が形成される。このような場合であっても、強度の高い電磁界が給油部７７および充電部７８に強度の高い電磁界が達することを抑制することができる。
【０３８７】
なお、この図１１６に示す例においては、受電部２０を中心線Ｏ２から後領域Ｒ３にずれた位置に搭載した例について説明したが、受電部２０を前領域Ｒ２に設けてもよい。この場合には、給油部７７と充電部７８との少なくとも一方を後領域Ｒ３に設けるようにする。
【０３８８】
さらに、受電部２０を中心線Ｏ３に対して右領域Ｒ４にずれた位置に配置するようにしてもよい。この場合には、給油部７７と充電部７８との少なくとも一方を左領域Ｒ５に設けるようにする。また、受電部２０を中心線Ｏ３に対して左領域Ｒ５にずれるように配置してもよい。この場合には、給油部７７と充電部７８との少なくとも一方を右領域Ｒ４に配置するようにしてもよい。
【０３８９】
（実施の形態２８）
図１２０および図１２１を用いて、本実施の形態２８に係る電動車両１０について説明する。なお、図１２０から図１２１に示す構成のうち、上記図１から図１１９に示す構成と同一または相当する構成については、同一の符号を付してその説明を省略する場合がある。
【０３９０】
図１２０に示すように、受電部２０は、中心線Ｏ２から後領域Ｒ３にずれた位置に設けられている。その一方で、給油部７７および充電部７８は、前領域Ｒ２に設けられている。
【０３９１】
図１２１は、本実施の形態に係る電動車両１０に搭載された受電部２０と、この受電部２０に電力を送電する送電部５６とを示す斜視図である。この図１２１に示すように、受電部２０は、コイル２１０と、このコイル２１０の上に配置された複数のコア片２１１とを含む。
【０３９２】
コイル２１０は、上下方向に延びる巻回軸の周囲を取り囲むように形成されると共にコイル２１０の一端から他端に向かうにつれて、巻回軸から離れるように形成されている。具体的には、コイル２１０は、渦巻き状に形成されている。コア片２１１は、コイル２１０の周方向に間隔をあけて複数設けられている。コア片２１１は、棒状に形成されており、コイル２１０の径方向内方から径方向外方に向けて延びるように形成されている。
【０３９３】
コア片２１１の一方の端部は、コイル２１０の中空部内に位置しており、コア片２１１の他方の端部は、コイル２１０よりも径方向外方に位置している。
【０３９４】
送電部５６は、コイル２１５と、このコイル２１５の下面に設けられた複数のコア片２１６とを含む。コイル２１５は、上下方向に延びる巻回軸の中心を取り囲むように形成されると共に、コイル２１５の一端から他端に向かうにつれて、巻回軸から離れるように形成されている。このように、コイル２１５も渦巻き状に形成されている。
【０３９５】
コア片２１６は、コイル２１５の周方向に間隔をあけて配置されている。コア片２１６は、棒状に形成されている。コア片２１６の一方の端部は、コイル２１５の中空部内に位置しており、コイル２１５の他端部は、コイル２１５の外側に位置している。
【０３９６】
このように形成された受電部２０と送電部５６とで電力伝送する際には、コア片２１１と、コア片２１６とを通る磁路が形成される。これにより、コイル２１０に電流が流れ、受電部２０が送電部５６から電力を受電する。
【０３９７】
このような受電部２０および送電部５６において、受電部２０が電力を受電すると、受電部２０を中心に略同心円状に電磁界が分布する。
【０３９８】
図１２０において、受電部２０は、中心線Ｏ２から後領域Ｒ３にずれた位置に設けられている。その一方で、給油部７７および充電部７８は、前領域Ｒ２に設けられているため、強度の高い電磁界が給油部７７および充電部７８に達することを抑制することができる。
【０３９９】
なお、この図１２０に示す例においては、前領域Ｒ２に給油部７７および充電部７８を配置するようにしているが、給油部７７と充電部７８との一方を前領域Ｒ２に配置するようにしてもよい。また、受電部２０を中心線Ｏ２から前領域Ｒ２にずれた位置に設けるようにしてもよい。この場合には、給油部７７と充電部７８との少なくとも一方を後領域Ｒ３に設けるようにする。
【０４００】
また、受電部２０を中心線Ｏ３から左領域Ｒ５にずれた位置に設けるようにしてもよい。この場合には、給油部７７と充電部７８との少なくも一方を右領域Ｒ４に配置する。同様に、受電部２０を中心線Ｏ３から右領域Ｒ４にずれた位置に配置してもよい。この場合には、給油部７７と充電部７８との少なくとも一方を左領域Ｒ５に設ける。なお、図１２１に示す受電部２０および送電部５６において、コア片２１１およびコア片２１６は、必須の構成ではない。また、本実施の形態においては、受電部２０および送電部５６において、複数のコア片を採用したが、コア形状としてはこの形態に限られない。たとえば、一枚のフェライトコア板を採用してもよい。
【０４０１】
（実施の形態２９）
図１２２および図１２３を用いて、本実施の形態２９に係る電動車両１０について説明する。なお、図１２２および図１２３を示す構成のうち、上記図１から図１２１に示す構成と同一または相当する構成については、同一の符号を付してその説明を省略する。図１２２は、本実施の形態２９に係る電動車両１０を模式的に示す平面図である。この図１２２に示すように、受電部２０は、中心線Ｏ２から後領域Ｒ３にずれた位置に設けられている。その一方で、給油部７７および充電部７８は、前領域Ｒ２に設けられている。
【０４０２】
図１２３は、受電部２０および送電部５６を模式的に示す斜視図である。
受電部２０は、フェライトコア２２１と、このフェライトコア２２１に巻回された２次コイル２２０とを含む。フェライトコア２２１は、板状に形成されている。このフェライトコア２２１は、軸部２２２と、軸部２２２の一方の端部に形成された張出部２２３と、軸部２２２の他方の端部に形成された張出部２２４とを含む。ここで、張出部２２３の幅Ｗ７および張出部２２４の幅Ｗ８は、軸部２２２の幅Ｗ６よりも大きい。このため、フェライトコア２２１は、Ｈ字形状となるように形成されている。なお、２次コイル２２０は、巻回軸の周囲をコイル線が取り囲むように形成されており、軸部２２２に巻き回されている。送電部５６は、フェライトコア２３１と、このフェライトコア２３１に設けられたコイル２３０とを含む。さらに、フェライトコア２３１は板状に形成されている。具体的には、Ｈ字形状となるように形成されている。
【０４０３】
フェライトコア２３１は、軸部２３２と、この軸部２３２の一方の端部に形成された張出部２３３と、軸部２３２の他方の端部に形成された張出部２３４とを含む。なお、１次コイル２３０は、巻回軸の周囲をコイル線が取り囲むように形成されており、軸部２３２に巻き回されている。このように形成された受電部２０と送電部５６との間で電力伝送をする際には、コイル２３０に電流が流れる。
【０４０４】
コイル２３０に電流が流れると、受電部２０と送電部５６との間で磁路が形成される。この磁路は、たとえば、張出部２３４と、エアギャップと、張出部２２４と、軸部２２２と、張出部２２３と、エアギャップと、張出部２３３と、軸部２３２とを通る。ここで、本実施の形態に係る受電部２０および送電部５６においては、張出部２２３，２２４，２３３，２３４が形成されているため、受電部２０と送電部５６とが互いに位置ずれしたとしても、磁路が維持され、受電部２０と送電部５６との間の電力伝送効率を高く維持することできる。
【０４０５】
図１２２において、受電部２０は、後領域Ｒ３に設けられ、給油部７７および充電部７８は、前領域Ｒ２に設けられている。このため、電力伝送時に給油部７７および充電部７８に強度の高い電磁界が達することを抑制することができる。２次コイル２２０は、巻回軸が進行方向Ｄ１に向くように配置されている。このため、本実施の形態においても、強度の高い電磁界は、電動車両１０の前後方向に向くように配置される。その一方で、受電部２０は、背面７４側に設けられ、充電部７８は、正面７３に設けられているため強度の高い電磁界が充電部７８に達することを抑制することができる。
【０４０６】
（実施の形態３０）
図１２４から図１２５を用いて、本実施の形態３０に係る電動車両１０について説明する。図１２４は、本実施の形態３０に係る電動車両１０を模式的に示す平面図である。この図１２３に示すように、受電部２０は、後領域Ｒ３に設けられている。その一方で給油部７７および充電部７８は、前領域Ｒ２に設けられている。
【０４０７】
図１２５は、受電部２０および送電部５６を模式的に示す斜視図である。この図１２５に示すように、受電部２０は、コイル２４０と、フェライトコア２４１とを含む。ここで、フェライトコア２４１は、複数のコア片２４２を含む。複数のコア片２４２は、コイル２４０の巻回軸に垂直な方向（交差する方向）に間隔をあけて配置されている。各コア片２４２の間には、空隙部２４３が形成されている。
【０４０８】
このため、この図１２５に示す例においては、一枚のフェライトコアで形成した場合よりもフェライトコアの材料を低減することができる。これにより、製造コストの低減を図ることができる。なお、送電部５６も同様に形成されている。送電部５６もコイル２５０と、フェライトコア２５１とを含む。フェライトコア２５１は、コイル２５０の巻回軸に垂直な方向（交差する方向）に配列する複数のコア片２６２を含む。各コア片２６２間には空隙部２６３が形成されている。このため、送電部５６においてもフェライトコア２５１の製造コストの低減が図られている。
【０４０９】
このように形成された受電部２０と送電部５６との間で電力伝送する際には、コイル２５０に電流が流れる。これにより、受電部２０と送電部５６との間で磁路が形成される。たとえば、磁路は、各コア片２６２の一方の端部と、コイル２５０内と、各コア片２６２の他方の端部と、エアギャップと、コア片２４２の一方の端部と、コイル２４０内と、フェライトコア２４１の他方の端部と、エアギャップとを通る。このように磁路が形成されることで、コイル２４０に電流がながれ、受電部２０が送電部５６から電力を受電する。
【０４１０】
図１２４において、受電部２０は、後領域Ｒ３に設けられ、充電部７８および給油部７７は、前領域Ｒ２に設けられている。このため、強度の高い電磁界が給油部７７および充電部７８に達することを抑制することができる。
【０４１１】
（実施の形態３１）
図１２６および図１２７を用いて、本実施の形態２６に係る電動車両１０について説明する。なお、図１２６および図１２７に示す構成のうち、上記図１から図１２５に示す構成と同一または相当する構成と同一または相当する構成については、同一の符号を付してその説明を省略する。
【０４１２】
図１２６は、本実施の形態３１に係る電動車両１０を模式的に示す平面図である。この図１２６に示すように、受電部２０は、中心線Ｏ２から後領域Ｒ３にずれた位置に設けられている。さらに、給油部７７および充電部７８は、前領域Ｒ２に設けられている。
【０４１３】
図１２７は、受電部２０および送電部５６を示す斜視図である。この図１２７に示すように、受電部２０は、フェライトコア２７０と、このフェライトコア２７０に設けられたコイル２７１とを含む。ここで、フェライトコア２７０は下方に開口部が形成された箱型形状に形成されている。フェライトコア２７０は、底面部２７４と、この底面部２７４の周縁部から下方に向けて垂れ下がる周壁部２７５と、底面部２７４の下面から下方に向けて突出する軸部２７６とを含む。軸部２７６と、周壁部２７５との間には、環状の溝部２７７が形成されている。コイル２７１は、軸部２７６に巻回されると共に、溝部２７７内に収容されている。
【０４１４】
送電部５６は、フェライトコア２８０と、このフェライトコア２８０に装着されたコイル２８１とを含む。フェライトコア２８０は、底面部と、底面部の周縁部から上方に向けて立ち上がるように形成された周壁部２８３と、底面部の中央部から上方に向けて突出するように形成された軸部２８２とを含む。フェライトコア２８０は、上方に向けて開口するように形成されており、フェライトコア２８０内には、環状の溝部２８４が形成されている。コイル２８１は、この溝部２８４内に収容されている。受電部２０と送電部５６との間で電力伝送する際には、コイル２８１に電流が流れ、磁路が受電部２０と送電部５６との間で形成される。
【０４１５】
たとえば、磁路は、軸部２８２と、エアギャップと、軸部２７６と、底面部２７４と、周壁部２７５と、エアギャップと、周壁部２８３と、底面部と、軸部２８２とを通る。このような磁路が形成されることで、良好にコイル２７１に電流が流れ、受電部２０が電力を受電する。このように受電部２０が電力を受電する際には、受電部２０の周囲には、電磁界が形成される。ここで、受電部２０は、後領域Ｒ３に設けられ、給油部７７および充電部７８は、前領域Ｒ２に設けられている。このため、電力伝送時に、給油部７７および充電部７８に強度の高い電磁界が達することを抑制することができる。なお、上記の実施の形態においては、所謂電磁界共振（共鳴）結合などを利用した例について説明したが、所謂電磁誘導タイプの非接触充電方式にも適用することができる。
【０４１６】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。さらに、上記数値などは、例示であり、上記数値および範囲にかぎられない。
【産業上の利用可能性】
【０４１７】
本発明は、車両に適用することができる。
【符号の説明】
【０４１８】
１０  電動車両、１１，９１  受電装置、１３  整流器、１４  コンバータ、１５  バッテリ、１５ａ  本体部、１５ｂ  張出部、１６  パワーコントロールユニット、１７  モータユニット、２０，９６  受電部、２１，５７，１２６，１４０，１５０，１６０，１７０，１８５  フェライトコア、２２，５８，９２，９４，９７，９９，１２１，１２２，１２３，１２４，１４２，１４３，１５５，１５６，１６３，１８１，１８２，１８３，１８４，１８７，１８８，１８９，１９０，２１０，２１５  コイル、２３，５９，９５，９８  キャパシタ、２４，６０  筐体、２５，６２  シールド、２５ａ  天板部、２５ｂ  周壁部、２６  蓋部、２７，６１  固定部材、２８  ボルト、２９ａ，２９ｂ，６４ａ，６４ｂ  突出部、３０  絶縁片、１６４  溝部、３５  第１端部、３６  第２端部、３７，７５  上面、３８，７６  底面、３９，４０  側面、４１，４２  端面、４３，４５  長辺部、４４，４６  短辺部、４７  サイドメンバ、４９  フロアパネル、５０，９０  送電装置、５１  外部給電装置、５２  駐車スペース、５３  交流電源、５４  高周波電力ドライバ、５５，１５７  制御部、５６  送電部、５６  タイプ送電部、６３  蓋部材、６６  ルーフ、６７  ハッチ、６７ａ  上面部、６７ｂ  背面部、６８  荷物室、７０  車両本体、７１  左側面、７２  右側面、７３  正面、７４，７４ｂ  背面、７７  給油部、７８  充電部、７９  燃料タンク、８０  駆動室、８１  乗員収容室、８２Ｌ，８２Ｒ  乗降用開口部、８３Ｌ，８３Ｒ  ドア、８４，８４Ｌ，８４Ｒ  フロントフェンダ、８５Ｌ，８５Ｒ  リヤフェンダ、８６  フロントバンパ、８７  リヤバンパ、８８  エンジンルーフ、１２０，１２５，１４１，１５４，１７１，１８６  コイルユニット、１２６  コアフェライトコア。
【図１】
2013168241.tif 000003
【図２】
2013168241.tif 000004
【図３】
2013168241.tif 000005
【図４】
2013168241.tif 000006
【図５】
2013168241.tif 000007
【図６】
2013168241.tif 000008
【図７】
2013168241.tif 000009
【図８】
2013168241.tif 000010
【図９】
2013168241.tif 000011
【図１０】
2013168241.tif 000012
【図１１】
2013168241.tif 000013
【図１２】
2013168241.tif 000014
【図１３】
2013168241.tif 000015
【図１４】
2013168241.tif 000016
【図１５】
2013168241.tif 000017
【図１６】
2013168241.tif 000018
【図１７】
2013168241.tif 000019
【図１８】
2013168241.tif 000020
【図１９】
2013168241.tif 000021
【図２０】
2013168241.tif 000022
【図２１】
2013168241.tif 000023
【図２２】
2013168241.tif 000024
【図２３】
2013168241.tif 000025
【図２４】
2013168241.tif 000026
【図２５】
2013168241.tif 000027
【図２６】
2013168241.tif 000028
【図２７】
2013168241.tif 000029
【図２８】
2013168241.tif 000030
【図２９】
2013168241.tif 000031
【図３０】
2013168241.tif 000032
【図３１】
2013168241.tif 000033
【図３２】
2013168241.tif 000034
【図３３】
2013168241.tif 000035
【図３４】
2013168241.tif 000036
【図３５】
2013168241.tif 000037
【図３６】
2013168241.tif 000038
【図３７】
2013168241.tif 000039
【図３８】
2013168241.tif 000040
【図３９】
2013168241.tif 000041
【図４０】
2013168241.tif 000042
【図４１】
2013168241.tif 000043
【図４２】
2013168241.tif 000044
【図４３】
2013168241.tif 000045
【図４４】
2013168241.tif 000046
【図４５】
2013168241.tif 000047
【図４６】
2013168241.tif 000048
【図４７】
2013168241.tif 000049
【図４８】
2013168241.tif 000050
【図４９】
2013168241.tif 000051
【図５０】
2013168241.tif 000052
【図５１】
2013168241.tif 000053
【図５２】
2013168241.tif 000054
【図５３】
2013168241.tif 000055
【図５４】
2013168241.tif 000056
【図５５】
2013168241.tif 000057
【図５６】
2013168241.tif 000058
【図５７】
2013168241.tif 000059
【図５８】
2013168241.tif 000060
【図５９】
2013168241.tif 000061
【図６０】
2013168241.tif 000062
【図６１】
2013168241.tif 000063
【図６２】
2013168241.tif 000064
【図６３】
2013168241.tif 000065
【図６４】
2013168241.tif 000066
【図６５】
2013168241.tif 000067
【図６６】
2013168241.tif 000068
【図６７】
2013168241.tif 000069
【図６８】
2013168241.tif 000070
【図６９】
2013168241.tif 000071
【図７０】
2013168241.tif 000072
【図７１】
2013168241.tif 000073
【図７２】
2013168241.tif 000074
【図７３】
2013168241.tif 000075
【図７４】
2013168241.tif 000076
【図７５】
2013168241.tif 000077
【図７６】
2013168241.tif 000078
【図７７】
2013168241.tif 000079
【図７８】
2013168241.tif 000080
【図７９】
2013168241.tif 000081
【図８０】
2013168241.tif 000082
【図８１】
2013168241.tif 000083
【図８２】
2013168241.tif 000084
【図８３】
2013168241.tif 000085
【図８４】
2013168241.tif 000086
【図８５】
2013168241.tif 000087
【図８６】
2013168241.tif 000088
【図８７】
2013168241.tif 000089
【図８８】
2013168241.tif 000090
【図８９】
2013168241.tif 000091
【図９０】
2013168241.tif 000092
【図９１】
2013168241.tif 000093
【図９２】
2013168241.tif 000094
【図９３】
2013168241.tif 000095
【図９４】
2013168241.tif 000096
【図９５】
2013168241.tif 000097
【図９６】
2013168241.tif 000098
【図９７】
2013168241.tif 000099
【図９８】
2013168241.tif 000100
【図９９】
2013168241.tif 000101
【図１００】
2013168241.tif 000102
【図１０１】
2013168241.tif 000103
【図１０２】
2013168241.tif 000104
【図１０３】
2013168241.tif 000105
【図１０４】
2013168241.tif 000106
【図１０５】
2013168241.tif 000107
【図１０６】
2013168241.tif 000108
【図１０７】
2013168241.tif 000109
【図１０８】
2013168241.tif 000110
【図１０９】
2013168241.tif 000111
【図１１０】
2013168241.tif 000112
【図１１１】
2013168241.tif 000113
【図１１２】
2013168241.tif 000114
【図１１３】
2013168241.tif 000115
【図１１４】
2013168241.tif 000116
【図１１５】
2013168241.tif 000117
【図１１６】
2013168241.tif 000118
【図１１７】
2013168241.tif 000119
【図１１８】
2013168241.tif 000120
【図１１９】
2013168241.tif 000121
【図１２０】
2013168241.tif 000122
【図１２１】
2013168241.tif 000123
【図１２２】
2013168241.tif 000124
【図１２３】
2013168241.tif 000125
【図１２４】
2013168241.tif 000126
【図１２５】
2013168241.tif 000127
【図１２６】
2013168241.tif 000128
【図１２７】
2013168241.tif 000129
【国際調査報告】
2013168241.tif 000130
2013168241.tif 000131
2013168241.tif 000132
2013168241.tif 000133